【事件の表示】
　特願２０１２−１３５１２８「ＶｏＩＰ基盤音声通話時の音声認識を用いた広告提供システム及びその方法」拒絶査定不服審判事件〔平成２５年　１月　７日出願公開，特開２０１３−　　５４４５，請求項の数（６）〕について，次のとおり審決する。
【結　論】
　原査定を取り消す。
　本願の発明は，特許すべきものとする。
【理　由】
第１　手続の経緯
　本願は，平成２４年６月１４日（パリ条約による優先権主張　２０１１年６月１５日　韓国，２０１１年６月１５日　韓国）の出願であって，平成２５年１０月２５日付けで拒絶理由が通知され，平成２６年１月２９日付けで手続補正がされ，同年５月１５日付けで拒絶査定（以下，「原査定」という。）がされ，これに対し，同年９月１９日に拒絶査定不服審判が請求されるとともに同日付けで手続補正がされ，その後，当審において平成２７年７月２２日付けで拒絶理由（以下，「当審拒絶理由１」という。）が通知され，同年１０月２３日付けで手続補正がされ，平成２８年２月８日付けで拒絶理由（以下，「当審拒絶理由２」という。）が通知され，同年４月２８日付けで手続補正がされたものである。
第２　本願発明
　本願の請求項１−６に係る発明は，平成２８年４月２８日付けの手続補正で補正された特許請求の範囲の請求項１−６に記載された事項により特定されるものと認められる。
　本願の請求項１に係る発明（以下，「本願発明」という。）は以下のとおりである。
「映像通話を行おうとする通話者のソーシャル情報を用いてターゲット広告を選択するターゲット広告選択部と，
　前記ターゲット広告をユーザ端末に送信するターゲット広告送信部と，を含み，
　前記ターゲット広告選択部は，
　前記通話者の地域情報，性別情報，年齢情報，職業情報，学歴情報，関心分野情報のうち少なくとも１つを含むユーザ情報を用いて前記通話者間の関係情報を生成し，広告主が申請した１つ以上の広告が格納された広告データベースから前記関係情報から導かれる前記通話者間に共通するテーマに対応するターゲット広告を選択し，
　前記選択されたターゲット広告が前記通話者のユーザ端末に表示されるように，前記選択されたターゲット広告を通話者間に同期化して送信し，
　前記通話者のうちのいずれか一人によって前記ターゲット広告が選択された場合，前記選択されたターゲット広告に関するウェブサイトのＵＲＬを前記ターゲット広告を選択した通話者及び通話相手に送信することを特徴とする広告情報提供システム。」
第３　原査定の理由について
１　原査定の理由の概要
［拒絶理由通知］
理由１　この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　　　　　記　　　（引用文献等については引用文献等一覧参照）
＜理由１＞
請求項１，１２，１４，２０ついて
　引用文献１
備考
　引用文献１には，ＳＩＰに基づいた広告提供装置であって，音声認識部７２１を用いて音声データをテキストに変換し，該テキストからキーワードを抽出し，該キーワードを含む広告情報をユーザ端末５に送信することが記載されている。
（【０００１】，【００２１】，【００３６】〜【００３９】，【００６９】〜【００７９】，図４，図９，図１０）
請求項２，４，１３，１５，１７について
　引用文献１
備考
　引用文献１（【００８４】）には，広告を通話相手端末６にも送信することが示唆されている。また，パケットトンネルを介してデータを送信することは，周知である。
請求項３，１６について
　引用文献１，２
備考
　引用文献２（【００１４】）には，広告を“健康”等のカテゴリに分けて格納することが記載されている。
請求項５，８，９，１１，１８について
　引用文献１
備考
　ターゲット広告を選択して送信することは，例えば特表２００８−５２７５２７号公報，あるいは特表２００８−５１８５０５号公報に記載されているように周知である。また，いずれの周知例においても，ユーザ情報あるいはユーザプロフィールに基づいて広告を選択しており，ソーシャル情報を用いてターゲット広告を選択しているといえる。
　なお，映像通話は周知の技術である。
請求項６，１９について
　引用文献１
備考
　引用文献１（【００８４】）には，広告を通話相手端末６にも送信することが示唆されている。また，パケットトンネルを介してデータを送信することは，周知である。
　また，特表２００８−５２７５２７号公報の【００５２】には，ターゲット広告をユーザが選択することが記載されている。
請求項７について
　引用文献１，３
備考
　引用文献３（【請求項２９】）には画面分割により映像情報とともに広告を表示することが記載されている。
請求項１０について
　引用文献１，４
備考
　引用文献４（【００３７】）には，広告視聴量により通話料金を割引することが記載されている。
　　　　　　　　　　　引　用　文　献　等　一　覧
１．特開２０１０−１６５１８９号公報
２．特表２００９−５２４１５７号公報
３．特開２００２−０１０２３３号公報
４．特開２００７−２４１６１７号公報
（［当審注］：平成２６年１月２９日付け手続補正により請求項１−４，８，１２−１７，２０が削除されたため，本願発明に対する拒絶理由は，上記「請求項５，８，９，１１，１８について」が対応する。）
［拒絶査定］
（意見書の主張の摘記部分は省略。）
　上記主張について検討する。平成２５年１０月２５日付け拒絶理由通知書で示した周知例２（特表２００８−５１８５０５号公報）には，複数のユーザのプロフィール（「ソーシャル情報」に相当する）や位置情報の一致により関係づけられることによりデートをアレンジされ（【００２４】〜【００３３】），ターゲット広告を受信すること（【００５４】〜【００５７】）が記載されており，ソーシャル情報（あるいは「ユーザ情報」）を用いて関係情報を生成し，関係情報に該当するターゲット広告を選択しているといえる。
　また，ソーシャル情報のようなユーザ情報から関係情報を生成し，関係情報に該当するターゲット広告を選択することは，他にも国際公開第２０１０／１０２０１２号（[0027]）及び特表２０１０−５１０６０６号公報（【００２８】〜【００３８】）に記載されているように周知である。
　したがって，補正後の請求項１〜８に係る発明は，特許を受けることができない。
２　原査定の理由の判断
（１）刊行物の記載事項
　刊行物１（特開２０１０−１６５１８９号公報）には，以下の事項が記載されている。
ア　「【０００１】
　本発明は，
相手端末と通信を行う端末装置に対し，通信を行うのと並行して広告を提供する
（中略）
【０００５】
  
ソーシャルネットワークサービスやブログにおけるWeb上での文字によるコミュニケーションと同程度の手軽さで，音声によるリアルタイム通信である電話通信ができればより密度の高いコミュニケーションをとることができ，ユーザの利便性が向上する。
（中略）
【０００７】
　さて，従来の固定電話サービス等では，通信距離や時間に応じた課金が基本であったが，ソーシャルネットワークサービスやブログと同様の手軽さで電話通信を行うための上記技術では，ユーザには無料あるいは低価格の固定料金でサービスを提供することが望ましい。そうすると，通信のサービス提供者は収益を上げにくくなる。そこで，上記のような通信技術において，
ユーザにクリック率の高い適切な広告を提供する
【０００８】
　本発明は上記の点に鑑みてなされたものであり，端末間で電話通信を行うための方式において，
ユーザ端末に適切な広告を提供する
イ「【００２１】
　電話通信用プログラム提供装置２は，ユーザ端末５からのアクセスに応じて，ユーザ端末５に対し電話通信用プログラムを提供する等の機能を有する装置である。呼制御装置３は，上記電話通信用プログラムが実行される端末間で電話通信を行うための呼制御処理を行うための装置である。本実施の形態では，
呼制御処理をSIP（Session Initiation Protocol）に基づいて行う
ウ　「【００３６】
　次に，広告提供装置７の機能構成について図４を参照して説明する。図４に示すように，広告提供装置７は，広告情報送出依頼受信部７１，キーワード抽出部７２，広告情報抽出部７３，広告情報送信部７４，ユーザ履歴制御部７５，URL／キーワード格納部７６，キーワード辞書格納部７７，広告情報格納部７８，及び，ユーザ履歴格納部７９を有する。
キーワード抽出部７２は，通信ネットワーク４から受信する音声データをテキストに変換する機能を持つ音声認識部７２１を有する
【００３７】
　広告情報送出依頼受信部７１は，通信ネットワーク４を介してユーザ端末５から広告情報送出依頼を受信し，それが（キーワードとして特定されたものでない）テキスト，通信用ID，音声データ，又はURLを含む広告情報送出依頼である場合はその広告情報送出依頼をキーワード抽出部７２に渡し，キーワードを抽出する必要のない広告情報送出依頼である場合は，それを広告情報抽出部７３に渡す機能を有する。
【００３８】
　キーワード抽出部７２は，URLを含む広告情報送出依頼を受信した場合に，当該URLに対応するキーワードをURL／キーワード格納部７６から取得し，当該キーワードを含む広告情報送出依頼を広告情報抽出部７３に渡す機能を有する。
【００３９】
　また，キーワード抽出部７２は，音声データを含む広告情報送出依頼を受信した場合に，音声認識部７２１を用いて音声データをテキストに変換し，キーワード辞書格納部７７を参照することによりテキストからキーワードを抽出し，当該キーワードを含む広告情報送出依頼を広告情報抽出部７３に渡す機能，及び，テキストを含む広告情報送出依頼を受信した場合に，キーワード辞書格納部７７を参照することによりテキストからキーワードを抽出し，当該キーワードを含む広告情報送出依頼を広告情報抽出部７３に渡す機能を有する。更に，キーワード抽出部７２は，通信用IDを含む広告情報送出依頼を受信した場合に，ユーザ履歴格納部７９を参照し，当該通信用IDに対応する履歴情報（ユーザが過去にクリックした広告サイトURLの履歴）の中から，例えば最も最近クリックしたURLを取得し，当該URLに対応するキーワードをURL／キーワード格納部７６から取得し，当該キーワードを含む広告情報送出依頼を広告情報抽出部７３に渡す機能を有する。」（８〜９ページ）
エ　「【００６９】
　広告提供装置７では，広告情報送出依頼受信部７１が広告情報送出依頼を受信し，それをキーワード抽出部７２に渡す。
【００７０】
　キーワード抽出部７２は，広告情報送出依頼から発信の契機となったWebページのURLを取得し，URL／キーワード格納部７６から，当該URLに対応するキーワードを取得するとともに，広告情報送出依頼から発信元の通信用IDを取得し，ユーザ履歴格納部７７から，当該通信用IDに対応するURLを取得し，URL／キーワード格納部７６から，当該URLに対応するキーワードを取得する（ステップ１２，１３）。
【００７１】
　キーワード抽出部７２は，これらキーワードを含む広告情報送出依頼を広告情報抽出部７３に渡す。広告情報抽出部７３は，広告情報送出依頼に係るキーワードに対応する広告情報を広告情報格納部７８から取得し，取得した広告情報を広告情報送信部７４を介してユーザ端末５に送信する（ステップ１４）。複数の広告情報が取得された場合，それらをユーザ端末５に送り，ユーザ端末５上で複数の広告の画像を表示させてもよいし，広告情報を１つづつ一定時間毎に送り，ユーザ端末５上で広告の画像が順次切り替わるように表示させてもよい。
【００７２】
　広告情報を受信したユーザ端末５では，広告依頼表示制御部６５が，広告情報に含まれる画像をディスプレイに表示する。ここで画像に対してクリックがなされればユーザ端末５は広告サイトのWebページを取得できるが，本例では，ここではクリックがなされずに，通話が開始されたものとする（ステップ１５，１６）。前述したように，ユーザ端末５のディスプレイ画面上には，情報閲覧部５１の画面とは別に，電話通信機能部５３によりウィンドウが開かれ，そのウィンドウ画面に適切な広告の画像が表示される。
【００７３】
　次に，
通話が開始された後における広告提供表示処理
【００７４】
　
ユーザ端末５の電話通信機能部５３では，音声通信部６３が音声データの送受信を行っている。その中で，キーワード抽出部６４は音声通信部６３から音声データを受け取り，音声認識を行ってそれをテキストに変換し，データ格納部５４に格納されたキーワード辞書を参照してキーワードを抽出し，広告依頼表示制御部６５に渡す
【００７５】
　
広告依頼表示制御部６５は，キーワード抽出部６４から受信したキーワードを含む広告情報送出依頼を広告提供装置７に送信する
【００７６】
　すると，
広告提供装置７では，広告情報送出依頼を広告情報抽出部７３が受け取り，広告情報格納部７８から，広告情報送出依頼に含まれるキーワードに対応する広告情報を取得し，当該広告情報が広告情報送信部７４によりユーザ端末５に送られる
ユーザ端末５では，広告依頼表示制御部６５が広告情報に含まれる広告の画像をディスプレイに表示する
【００７７】
　ここで，
ユーザが広告の画像をクリックすると，広告依頼表示制御部６５は画像がクリックされたことを検知し
，上記広告情報に含まれる広告サイトのURLを情報閲覧部５１に渡すことにより，広告サイトにアクセスすることを要求する（ステップ２２）。そして，情報閲覧部５１はURLに基づき広告サイトにアクセスし
，広告サイトのWebページを取得し，表示する
【００７８】
　また，広告依頼表示制御部６５は，クリックを検知した場合に，上記のようにURLを情報閲覧部５１に通知するとともに，クリックされた広告を識別する情報（広告サイトのURL）を自身の通信用IDとともに広告提供装置７に送信する（ステップ２４）。
【００７９】
　上記通信用IDとURLを受信した広告提供装置７では，ユーザ履歴制御部７５が，これらをユーザ履歴としてユーザ履歴格納部７９に格納する（ステップ２５）。」（１２〜１３ページ）
オ　「【００８４】
　
通話中，着信側である通話相手端末６でもユーザ端末５での上述した処理と同様の処理により広告が表示される
　上記ア〜オの記載によれば，刊行物１には
「ＳＩＰに基づいた広告提供装置であって，音声認識部を用いて音声データをテキストに変換し，該テキストからキーワードを抽出し，該キーワードを含む広告情報をユーザ端末に送信する。」発明（以下，「引用発明１」という。）が記載されていると認められる。
　原査定の拒絶理由に周知文献としてあげられた特表２００８−５２７５２７号公報（以下，「周知例１」という。）には，以下の事項が記載されている。
カ　「【００４８】
　コミュニティサーバー１０のコミュニティ管理部１５は，使用者が所定の広告コミュニティページへの連結を要請すると，使用者の識別情報を広告サーバー２０に伝達する（Ｓ１４０）。
広告サーバー２０の広告選定部２２は，使用者の識別情報に基づいて使用者データベース１１を検索し，使用者の特性情報を把握する。例えば，使用者の性別，年齢，職業及び趣味のうち少なくとも一つを判断（把握）する
【００４９】
　次に，
使用者の特性情報に基づいて（用いて）広告データベース２１を検索し，広告コミュニティに対応する広告スキンイメージを構成するスキン構成要素を選択する
【００５０】
　コミュニティ管理部１５は，第２コミュニティデータベース１４から提供された，使用者が接続しようとする広告コミュニティの広告スキンイメージに変更されたスキン構成要素を適用し，その適用されたスキン構成要素を表示する（Ｓ１８０）。したがって，使用者が所定の広告コミュニティページに接続すると，該当の広告コミュニティページの広告スキンイメージが使用者端末機３００上で表示されつつ，使用者の特性情報に応じて選択された所定のスキン構成要素が表示される（Ｓ１９０）。広告スキンイメージが提供される場合を例に挙げると，使用者がサムスン電子の広告コミュニティに接続する場合，サムスン電子の広告スキンイメージが表示されながら，広告スキンイメージ上で表示される所定のテキスト，背景色，所定の広告商品，またはマルチメディアデータなどが選択的に変更される。すなわち，使用者の年齢が１０代である場合は，サムスン電子のテレビのうち小型テレビに該当する広告が選定されて表示され，使用者の年齢が２０代以上である場合は，中型テレビに該当する広告が選定されて表示され，使用者の年齢が３０代以上である場合は，大型テレビのうちデジタルテレビに該当する広告が選定されて表示される。また，上記のように，年齢に応じて所定の商品の広告が表示されながら，使用者の性別や職業などに応じて表示される広告文句などが変更される。したがって，所定の広告コミュニティページ上でスキンイメージを通じて所定の商品に対する広告をしながら，接続した使用者の特性情報によって広告スキンイメージが動的に変更されることで，該当の商品に対する使用者の興味を一層誘発させることができる。
【００５１】
　また，上述したような広告コミュニティ上で
使用者たちの特性情報に応じて所定のターゲット広告が行われる
【００５２】
　一方，上述した過程を通じて所定の広告を受けた使用者は，該当の広告スキンイメージを自身の個人コミュニティページのスキンイメージとして用いることができる。例えば，
使用者が該当の広告スキンイメージを２回以上クリックしたり，別途のメニューを通じて広告スキンイメージ掲載を要請すると，コミュニティ管理部１５は，該当の広告スキンイメージを第１コミュニティデータベース１３の使用者のコミュニティに対応して保存し，その後，使用者がコミュニティに接続したとき，広告スキンイメージを背景とするコミュニティが表示される
　同じく原査定の拒絶理由に周知文献としてあげられた特表２００８−５１８５０５号公報（以下，「周知例２」という。）には，以下の事項が記載されている。
キ　「【００２４】
　Ｑｓｏｃｉａｌは，無線マルチメディアサービス及び高速データサービスを組み合わせたＬＢＳアプリケーションである。実施形態では，Ｑｓｏｃｉａｌは，オンラインデートアプリケーションである。オンラインデートアプリケーションとしてＱｓｏｃｉａｌを使用して，ユーザは，Ｑｓｏｃｉａｌのマルチメディア機能及び位置ベースサービスを用いてソーシャルな約束をアレンジすることができる。
【００２５】
　Ｑｓｏｃｉａｌユーザは，別のＱｓｏｃｉａｌユーザとインスタントなデートをアレンジすることもできる。そのようなアレンジは，ソーシャルネットワークを形成するだろう。ソーシャルネットワークは，ソーシャルな目的によってつながれた複数のユーザである。
【００２６】
　実施形態に従うと，インスタントデートは，Ｑｓｏｃｉａｌユーザのプロフィール及び位置に基づいて自発的にアレンジされうる。例えば，ベティーとジェーンは，ナイトクラブ地区で夜を過ごしているかもしれない。彼らは，デートをしたら楽しいと思うであろう。実施形態に従うと，彼らは，Ｑｓｏｃｉａｌのインスタントデート機能を使用し，積極的にデートしたいことを登録する。
【００２７】
　
Ｑｓｏｃｉａｌサーバは，以前に格納されて与えられた彼らのプロフィールにアクセスする。あるいは，Ｑｓｏｃｉａｌサーバは，彼らのプロフィールについてＱｓｏｃｉａｌユーザに問い合わせる
【００２８】
　Ｑｓｏｃｉａｌサーバ（図示せず）は，図１の無線ネットワーク１０３の一部になりえるか，あるいは別のネットワークの一部になりえる。Ｑｓｏｃｉａｌサーバは，互いに対して地理的に近い必要は必ずしもない単一サーバ又はサーバのバンクで良いことが当業者に明らかであろう。更に，サーバはラベルされたサーバである必要もないことも当業者に明らかであろう。サーバは，プロセッサとメモリを有するネットワーク上の共有デバイスである。
【００２９】
　一度登録されると，Ｑｓｏｃｉａｌサーバは，ベティーとジェーンのプロフィール及び位置にアクセスする。そして，Ｑｓｏｃｉａｌサーバは，彼らのプロフィール及び位置に一致する人々であるベティーとジェーンのプロフィールを送る。ベティーとジェーンは，一致したプロフィール及び位置のリストから選択する。Ｑｓｏｃｉａｌのインスタントデート機能は，彼らが選択されたということを通知する。この選択は，選択された中からの暗黙の提案の受諾かもしれないし，あるいは拒否かもしれない。選択，つまり選択された人が，暗黙の提案を受諾すると，待ち合わせ場所をアレンジすることができる。
【００３０】
　図４は，実施形態に従ったＱｓｏｃｉａｌユーザのための３つの可能な選択を表示しているハンドセットを示す。可能な選択が更にある場合，Ｑｓｏｃｉａｌユーザは，より多くの可能な選択に対して，スクロールアップ又はスクロールダウンすることができる。
【００３１】
　実施形態では，選択は，登録済みのインスタントデートユーザのプロフィールと一致する。あるいは，選択は，希望のプロフィールと一致するか，あるいはプロフィールのサブセットと一致するかもしれない。
【００３２】
　プロフィールは，Ｑｓｏｃｉａｌユーザに関する複数の機能を含む。実施形態に従うと，プロフィールは，年齢，身長，体重，性別，人種／民族，宗教，教育，趣味，及びＱｓｏｃｉａｌユーザのユーザ定義特徴を含む。
【００３３】
　Ｑｓｏｃｉａｌユーザは，一致する希望のプロフィールを定義することができる。ユーザは，いくつかの特徴に関しては関心がないかも知れず，これら特定の特徴に関しては「気にしない」を指定することができる。例えば，Ｑｓｏｃｉａｌユーザは，他人の人種，民族，又は宗教を気にしないかもしれない。一方，Ｑｓｏｃｉａｌユーザは，希望一致に関する非常に具体的な要求を持っているかもしれない。例えば，Ｑｓｏｃｉａｌユーザは，サーファーまたはスケートボーダーとのデートを望み，プロフィールにそのような特徴を定義するかもしれない。」（７〜８ページ）
ク　「【００５４】
　実施形態では，ユーザは，ＬＢＳアプリケーション又はＬＢＳ機能を使用するために，自分のプロフィールを入力しなければならない。あるいは，別の実施形態では，ＬＢＳアプリケーション又はＬＢＳ機能を使用するためにプロフィールは必要とされない。実施形態では，ユーザは，ターゲット広告のために自分のプロフィールが使用されることに対して許可を与えねばならない。あるいは，別の実施形態では，ユーザのプロフィールがターゲット広告のために使用されることについての許可は必要ではない。
【００５５】
　ターゲット広告に関する実施形態では，Ｑｓｏｃｉａｌアプリケーションは，次の拡張サービス（extention）を含みうる。  
・アプリケーションの使用が許可される各ユーザによってプロフィールが登録されることを必要とする拡張サービス。  
・加入者のアクティビティ状態を返す拡張サービス。  
・加入者のリアルタイム位置情報を返す拡張サービス。  
・ユーザによるＬＢＳのアクティブな使用の間，広告を表示するための無線端末ユーザインタフェースにおける拡張サービス及び対策。
【００５６】
　広告サーバ７１１は，広告コンテンツを含むメモリを含んでいる。実施形態では，
広告サーバ７１１は，ユーザのプロフィール及び位置に基づいて広告コンテンツを配信する
【００５７】
　実施形態では，広告は，無線端末ユーザが使用しているアプリケーションのタイプと，無線端末ユーザの位置とのみに基づいてサーバ７１１から無線端末７０１へと配信される。例えば，広告サーバ７１１は，無線端末ユーザのプロフィールを必要とせずに，ピザ用の広告を配信するが，ボウリングアプリケーションを使用しており，かつこのピザ広告のスポンサーであるピザレストランの地理的に近くにいる無線端末ユーザに基づいてピザ広告を配信するかもしれない。広告サーバ７１１へプログラムされたこの仮定は，ボウリングアプリケーションを使用する人々が更にピザを望む可能性がありそうであるということである。」（１１〜１２ページ）
　原査定において周知文献としてあげられた国際公開第２０１０／１０２０１２号（以下，「周知例３」という。）には，以下の事項が記載されている。
ケ　「[0027] In one embodiment, targeted advertisements can be sent to a user that relate to topics that are common across multiple contacts. If both Alice and Tom spend a lot of time talking about cars, it can be inferred that it is more likely that the user also likes cars, and the user can be sent targeted advertisements relating to cars. In one embodiment, the targeting of advertisements can be based on social status messages can also be based on the analysis of the social relationships among the status text posters and readers including the strength, type, and/or relevance of the social relationship, as well as additional spatial, temporal, demographic, and topical features.
[0028] In one embodiment, users can be given the ability to share or recommend advertisements to the contacts who triggered the advertisements. For example, if a user gets an advertisement for 10% off Amazon based on a status message where Alice recommended Amazon, the user may be able to forward or share that ad with Alice.」（８ページ）
（［当審仮訳］：
[0027]　１つの実施形態では，複数の接触先にわたって共通するトピックに関するターゲット広告をユーザへ送信することができる。
アリスとトムが両方とも車の話題に多くの時間を費やしている場合，ユーザも車好きである可能性が高いと推測することができ，ユーザに車に関するターゲット広告を送信することができる。
広告のターゲティングがソーシャルステータスメッセージに基づくことができ，このソーシャルステータスメッセージは，社会的関係の強度，種類，及び／又は関連性を含む，ステータステキストの投稿者と読者との間の社会的関係，並びにさらなる空間的，時間的，人口統計的及びトピック的特徴の分析に基づくことができる。
[0028]　１つの実施形態では，
ユーザに，広告をトリガした接触先と広告を共有し
（［当審注］：当審仮訳は，周知例３のパテントファミリーである特表２０１２−５１９９１５号公報の記載に基づいて合議体が作成した。）
　原査定において周知文献としてあげられた特表２０１０−５１０６０６号公報（以下，「周知例４」という。）には，以下の事項が記載されている。
コ　「【００２８】
　メディア提示モジュール２４は，ユーザプロファイル３０の少なくとも一部分を利用して，ユーザに提示するメディアの選択を可能にする。１つの手法匂いて，以下に更に詳細に説明されるように，メディア提示モジュール２４は，ユーザプロファイル３０のデータ
及びメディアインベントリ２６のメディアに関連付けられたデータを相関付けて，可能性のあるターゲット広告機会を位置付けることができる。その結果，メディア提示モジュール２４は，１又はそれ以上のサードパーティ（例えば，１又はそれ以上のベンダー）にこれらの機会を提示することができ，該サードパーティは，選択されたユーザプロファイルに関連付けられたユーザにメディアを提示する権利に対する対価を提供することができる。例証として，メディア提示モジュール２４は，１又はそれ以上の商品又はサービスの購入にどのユーザが関心を持つ可能性があるかを判断するために，ユーザプロファイルをレビューすることができる。更に，メディア提示モジュール２４は，付随するメディア表示機会を１又はそれ以上のベンダーに提示することができ，該ベンダーは，ユーザの１人又はそれ以上にターゲットメディアを表示する権利を入札することができる。例えば，メディア提示モジュール２４は，ユーザプロファイルに基づいて，１人又はそれ以上のユーザが仕事に行く途中でコーヒーを購入することが多いと判断することができる。その結果，メディア提示モジュール２４は，可能性のあるコーヒー広告機会を１又はそれ以上のベンダー（例えば，ＳＴＡＲＢＵＣＫＳ，ＰＥＡＢＯＤＹ  ＣＯＦＥＥ，ＰＥＥＴ’Ｓ  ＣＯＦＦＥＥ）に通知することができる。次いで，これらのベンダーは，メディア出力デバイス４０を介してコンテキストベースのターゲットメディア表示機会をユーザに提供する権利を入札することができる。例えば，ベンダーは，ユーザが通常コーヒーを購入する時間の間，及び空間データ，時間データ，及び対話データの１又はそれ以上を使用して決定されるような，このユーザが通常よく行くロケーションに関して，ユーザにコーヒー広告又はクーポンを表示する権利を入札することができる。落札されると，メディアディスプレイモジュール２４は，メディア出力デバイス４０を介して表示するための適切なメディアを提示することができる。
【００２９】
　別の手法匂いて，以下に更に詳細に説明されるように，メディア提示モジュール２４は，特定のデモグラフィック特性を有するユーザプロファイルを提供するよう１又はそれ以上のサードパーティからのリクエストを受け取ることができる。メディア提示モジュール２４は，リクエストされたデモグラフィック特性に従ってユーザプロファイルをフィルタ処理することができ，その結果，更に処理するためにそのフィルタ処理されたユーザプロファイルの少なくとも一部をサードパーティに提供することができる。１つの実施形態では，サードパーティは，ターゲットメディアを配信するための１又はそれ以上のユーザプロファイルを選択するベンダーである。特定の実施形態では，サードパーティは，ユーザプロファイルへのアクセス及び／又はターゲットメディアを提示する権利と引き換えにユーザプロファイルの維持者に対価を支払うことができる。
【００３０】
　上述のように，プロファイル管理モジュール２２は，データ収集モジュール１０から電子データを受信し，ユーザプロファイル３０を管理する。ユーザプロファイル３０の１つの実施形態が図４に示されている。図示の実施形態では，ユーザプロファイル３０は，空間データ１４，時間データ１５，及び対話データ１６を一般に含む電子デバイスデータ１２の少なくとも一部分を含む。ユーザプロファイル３０はまた，推定情報１７を任意選択的に含むことができ，一般的には該推定情報１７を含む。推定情報１７は，空間データ１４，時間データ１５，及び対話データ１６の少なくとも１つに基づいて推定できる情報である。例えば，以下に更に詳細に説明されるように，プロファイル管理モジュール２２は，空間データ１４，時間データ１５及び／又は対話データ１６のデータを相関付けて，推定情報を推定することができる。例証として，以下に更に詳細に説明されるように，プロファイル管理モジュール２２は，時間データ（例えば，１日の時間）を空間データ（例えば，ロケーション）に相関付けて，一次ユーザロケーション（例えば，住居）及び／又は二次ユーザロケーション（例えば，職場ロケーション又は学校ロケーション）を決定することができる。
【００３１】
　空間データ１４は，ユーザ及び／又は電子デバイスのロケーションに関連付けられた何れかのデータとすることができる。例えば，空間データ１４は，セルタワーデータ，ＧＰＲＳデータ，グローバルポジショニングサービス（ＧＰＳ）データ，ＷＩ−ＦＩデータ，パーソナルエリアネットワークデータ，ＩＰアドレスデータ，及び他のネットワークアクセスポイントからのデータなどの何らかのパッシブに収集されたロケーションデータ，或いはユーザによって入力されたロケーションデータなどのアクティブに収集されたロケーションデータを含むことができる。空間データ１４はまた，種々のロケーションに関連付けられた天気データを含むことができる。
【００３２】
　時間データ１５は，ユーザ及び／又は電子デバイスに関連付けられた特定の時間及び／又はイベントに関する時間ベースのデータ（例えば，タイプスタンプ）である。例えば，時間データ１５は，パッシブに収集された時間データ（例えば，電子デバイスに常駐するクロックからの時間データ，或いはネットワーククロックからの時間データ）とすることができ，或いは時間データ１５は，電子デバイスのユーザによって入力された時間データ（例えば，ユーザが維持するカレンダー）などのアクティブに収集された時間データとすることができる。
【００３３】
　対話データ１６は，アクティブ又はパッシブの何れであっても，電子デバイスのユーザ対話に関連付けられた何らかのデータとすることができる。対話データ１６の実施例は，対人コミュニケーションデータ，メディアデータ，関係データ，トランザクションデータ，及びデバイス対話データを含み，これらの全ては，以下で更に詳細に説明される。以下の表１は，電子データの実施例を含む非網羅的なリストである。
（表１は省略。）
【００３４】
　対話データ１６に関して，対人コミュニケーションデータは，電子デバイスとの間で受信又は送信され，ユーザとの間のコミュニケーションを目的とした何らかのデータを含むことができる。例えば，対人コミュニケーションデータは，着信又は発信ＳＭＳメッセージ，電子メールメッセージ，音声コール（例えば，携帯電話からのコール，ボイスオーバーＩＰコール），或いは対人コミュニケーションを送信及び受信している人に関する情報のような電子デバイスに対する対人コミュニケーションの他のタイプに関連付けられた何らかのデータとすることができる。以下で説明するように，対人コミュニケーションデータは，例えば，ユーザアクティビティ情報を示すことができる集中通信パターンを含むコミュニケーションの頻度に関する情報を推定するために時間データ１５に相関付けることができる。
【００３５】
　メディアデータは，オーディオデータ，視覚データ，及び視聴覚データなどの提示可能なメディアに関する何らかのデータを含むことができる。例えばオーディオデータは，ジャンル，アーティスト，アルバム，及び同様のものなどのダウンロードされた音楽に関するデータとすることができ，幾つか例を挙げると，着信音，呼出音，購入したメディア，プレイリスト，及び共有メディアに関するデータを含む。視覚データは，電子デバイスによって（例えば，インターネット又は他のネットワークを介して）受信された画像及び／又はテキストに関するデータとすることができる。視覚データは，電子デバイスから送信され及び／又は電子デバイスで取り込まれた画像及び／又はテキストに関するデータとすることができる。視聴覚データは，電子デバイスで取り込まれた，電子デバイスにダウンロードされた，或いは電子デバイスに関連付けられた何らかのビデオに関連付けられるデータとすることができる。メディアデータは，インターネットの使用のようにネットワークを介してユーザに提示されたメディアを含み，ネットワークを使用しているユーザによって入力及び／又は受信されたテキスト（例えば，サーチ語）に関するデータ，及びクリックデータ（例えば，広告バナークリック，ブックマーク，クリックパターン，及び同様のもの）などのネットワークメディアとの対話を含む。従って，メディアデータは，ユーザのＲＳＳフィード，加入，グループメンバーシップ，ゲームサービス，警報，及び同様のものに関するデータを含むことができる。メディアデータはまた，携帯電話などの電子デバイスを使用した画像取り込み及び／又はビデオ取り込みなどの非ネットワークアクティビティを含む。画像データは，幾つか例を挙げると，ユーザによって追加されたメタデータ，或いは，写真，写真が撮影されたロケーション，ショットの方向，ショットのコンテンツ，及び１日の時間に関するような，画像に関連付けられた他のデータを含むことができる。以下に更に詳細に説明するように，メディアデータは，例えば，アクティビティ情報或いは文化的選好及び／又は買物の選好情報などの選好情報を推定するのに使用できる。
【００３６】
　関係データは，電子デバイスのユーザの関係に関するデータを含むことができる。例えば，関係データは，性別，年齢，人種，名前，社会保障番号，写真，及びユーザの身元に関連付けられた他の情報などのユーザアイデンティティデータを含むことができる。ユーザ身元情報はまた，電子メールアドレス，ログイン名，及びパスワードを含むことができる。関係データはまた，ソーシャルネットワークデータを含むことができる。ソーシャルネットワークデータは，ユーザの友達，家族，同僚，仕事関係，及び同様のことに関するデータなど，ユーザによって入力される電子デバイスのユーザの何らかの関係に関するデータを含む。ソーシャルネットワークデータは，例えば，ユーザが維持する電子アドレス帳に対応するデータを含むことができる。
関係データは，例えば，一次関係（例えば，ユーザ−配偶者，ユーザ−子供，及びユーザ−親関係）又は他の関係（例えば，ユーザ−友達，ユーザ−同僚，ユーザ−仕事仲間の関係）など，ロケーションデータに相関付けてソーシャルネットワーク情報を推定することができる。関係データはまた，例えば，アクティビティ情報を推定するのに利用することができる
【００３７】
　対話データ１６はまた，トランザクションデータを含むことができる。トランザクションデータは，幾つか例を挙げると，ベンダー情報，金融機関情報（例えば，銀行情報），金融口座情報（例えば，クレジットカード情報），商品情報及びコスト／価格情報，及び購入頻度情報など，モバイル電子デバイスによって又はモバイル電子デバイスにて実施される商業トランザクションに関連付けられた何らかのデータとすることができる。トランザクションデータを利用して，例えば，アクティビティ及び選好情報を推定することができる。また，トランザクション情報を使用して，ユーザが所有する及び／又はユーザが関心を持つ可能性のある，デバイス及び／又はサービスのタイプを推定することができる。
【００３８】
　対話データ１６はまた，デバイス対話データを含むことができる。デバイス対話データは，電子デバイスでどのアプリケーションが使用されるか，及びこれらのアプリケーションがどのくらいの頻度で何時使用されるかに関するデータなど，他のモジュール／アプリケーションの電子デバイスデータの使用に関連付けられた習慣的パターンのような上記のカテゴリーのいずれにも含まれていない，電子デバイスとのユーザの対話に関する何らかのデータとすることができる。以下に更に詳細に説明するように，デバイス対話データは，時間データに相関付けて，ユーザアクティビティ及びこれに関連付けられたパターンに関する情報を推定することができる。以下の表２は，対話データの実施例を含む非網羅的なリストである。
（表２は省略。）」（１２〜１６ページ）
　上記のカ〜コの記載によれば，「ユーザ情報あるいはユーザプロフィールに基づいて広告を選択して送信すること。」は周知であると認められる（以下，「周知技術１」という。）。
　なお，上記カ〜コの記載を見ても，「通話者の地域情報，性別情報，年齢情報，職業情報，学歴情報，関心分野情報のうち少なくとも１つを含むユーザ情報を用いて通話者間の関係情報を生成し，広告主が申請した１つ以上の広告が格納された広告データベースから前記関係情報から導かれる通話者間に共通するテーマに対応するターゲット広告を選択」することまで周知ということはできない。
（２）対比
　本願発明と引用発明１とを対比すると，
　引用発明１の「キーワードを含む広告情報」を「ターゲット広告」と称し，引用発明１の「ＳＩＰに基づいた広告提供装置」を「広告情報提供システム」と称することは任意である。
　引用発明１は「音声認識部を用いて音声データをテキストに変換し，該テキストからキーワードを抽出し，該キーワードを含む広告情報をユーザ端末に送信する」のであるから，「ターゲット広告を選択するターゲット広告選択部」，「前記ターゲット広告をユーザ端末に送信するターゲット広告送信部」を有しているといえる。
　したがって，本願発明と引用発明１とは，
「ターゲット広告を選択するターゲット広告選択部と，
　前記ターゲット広告をユーザ端末に送信するターゲット広告送信部と，
を含む，広告情報提供システム。」の点で一致している。
　他方，本願発明と引用発明１は，以下の点で相違する。
（相違点１）一致点の「ターゲット広告を選択するターゲット広告選択部」に関し，本願発明のターゲット広告選択部は，「映像通話を行おうとする通話者のソーシャル情報を用いてターゲット広告を選択する」ものであり，「前記通話者の地域情報，性別情報，年齢情報，職業情報，学歴情報，関心分野情報のうち少なくとも１つを含むユーザ情報を用いて前記通話者間の関係情報を生成し，広告主が申請した１つ以上の広告が格納された広告データベースから前記関係情報から導かれる前記通話者間に共通するテーマに対応するターゲット広告を選択」するものであるのに対し，引用発明１は「音声認識部を用いて音声データをテキストに変換し，該テキストからキーワードを抽出し，該キーワードを含む広告情報をユーザ端末に送信する」ものである点。
（相違点２）本願発明は，更に，「前記選択されたターゲット広告が前記通話者のユーザ端末に表示されるように，前記選択されたターゲット広告を通話者間に同期化して送信し，前記通話者のうちのいずれか一人によって前記ターゲット広告が選択された場合，前記選択されたターゲット広告に関するウェブサイトのＵＲＬを前記ターゲット広告を選択した通話者及び通話相手に送信する」との構成を有しているのに対し，引用発明１は当該構成を有していない点。
（３）判断
　上記相違点１について検討する。
　引用発明１は，平成２６年１月２９日付け手続補正により削除された補正前の請求項１に係る発明に類似する発明といえ，これは本願明細書の第１の実施例に対応するものである。一方，本願発明は，第１の実施例とは全く異なる他の実施例に対応する発明である。そして，刊行物１の【０００５】（上記（１）ア参照。）にはソーシャルネットワークサービスにおけるWeb上での文字によるコミュニケーションと同程度の手軽さで電話通信ができればより密度の高いコミュニケーションをとることができユーザの利便性が向上することが示唆されており，周知技術１のとおり「ユーザ情報あるいはユーザプロフィールに基づいて広告を選択して送信すること。」は周知であるが，それらの事情に鑑みても，引用発明１において，「音声認識部を用いて音声データをテキストに変換し，該テキストからキーワードを抽出し，該キーワードを含む広告情報をユーザ端末に送信する」ことに替えて相違点１に係る構成を採用することの動機付けは見当たらず，容易になし得るということはできない。
　次に相違点２について検討する。
　刊行物１の【００８４】（上記（１）オ参照。）の記載によれば，送信側及び受信側の双方に広告が表示されることが読み取れ，同【００７７】（上記（１）エ参照。）には，ユーザが広告の画像をクリックするとURLに基づき広告サイトにアクセスして広告サイトのWebページを取得し表示することが示されているが，同広告に関するウェブサイトのURLを広告を選択した通話者のみならず通話相手にも送信することまでは読み取れない。また，周知例３の[0028]（上記（１）ケ参照。）の「トリガ」は，本願発明の「前記通話者のうちのいずれか一人によって前記ターゲット広告が選択された場合」に対応するものではない。したがって，相違点２に係る事項はいずれの文献にも記載も示唆もされていないから，相違点２を容易になし得るといえことはできない。
（４）小括
　したがって，本願発明は，当業者が引用発明１及び周知技術に基づいて容易に発明をすることができたとはいえない。
　また，本願の請求項６は，本願発明を他のカテゴリーの発明として表現するものであるから，同様に，当業者が引用発明１及び周知技術に基づいて容易に発明をすることができたとはいえない。
　また，本願の請求項２−５に係る発明は，本願発明をさらに限定したものであるので，同様に，当業者が引用発明１及び周知技術に基づいて容易に発明をすることができたとはいえない。
　よって，原査定の理由によっては，本願を拒絶することはできない。
第４　当審拒絶理由について
１　当審拒絶理由１の概要
理由１　この出願は，発明の詳細な説明の記載が下記の点で，特許法第３６条第４項第１号に規定する要件を満たしていない。
理由２　本件出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。 
 　　　　　　　　　　　　　　　　　記 
理由１について  
（１）段落００６１に「ターゲット広告送信部２４０は，通話者１のユーザ端末１（２６０）及び通話者２のユーザ端末２（２７０）の各々に同一のターゲット広告が表示されるようにターゲット広告を同期化してユーザ端末１（２６０）及びユーザ端末２（２７０）に送信してもよい。これにより，ユーザ端末１（２６０）及びユーザ端末２（２７０）には，同一の時点で同一のターゲット広告を表示することができる。そして，通話者は互いに関心のある同一のターゲット広告を見ながら対話をすることができる。」との記載がある。
　ここで，段落００３５には「ユーザ端末には，ＶｏＩＰ（Ｖｏｉｃｅ ｏｖｅｒ Ｉｎｔｅｒｎｅｔ Ｐｒｏｔｏｃｏｌ）を利用した音声通話を可能にするアプリケーションが格納される。ユーザが通話を実行すると，前記アプリケーションは，通話を行うユーザに反応してユーザの音声をデジタル化して音声情報を生成し，これを広告情報提供システム１００に送信する。」との記載があるところ，ＶｏＩＰはＰ２Ｐ（Peer-To-Peer）であるから，広告情報提供システムがどのように通話に介入し得るのか不明であり，通話者の端末同士が音声データを送受信するセッションが確立された後に，通話と連携させて，上記の段落００６１に記載された動作を実現するための仕組みが当業者にとって自明なものとは認められない。 
　しかし，それにもかかわらず，ＶｏＩＰを利用することを前提として，どのような仕組みにより，ターゲット広告を同期化してユーザ端末１及びユーザ端末２に送信し，同一のターゲット広告を見ながら対話をすることができることを実現するのか，具体的な説明が記載されておらず不明である。 
（２）段落００６４に「通話者１がターゲット広告を選択した場合，ターゲット広告送信部２４０は，通話者１が選択したターゲット広告に該当するウェブページを通話者１のユーザ端末２６０及び通話者２のユーザ端末２７０に全て送信してもよい。」との記載があるが，上記１．と同様に，ＶｏＩＰを利用することを前提として，どのような仕組みにより，通話者１がターゲット広告を選択した場合に，ターゲット広告送信部が，該当するウェブページをユーザ端末１及びユーザ端末２に送信することを実現するのか，具体的な説明が記載されておらず不明である。また，ウェブページは，当該ウェブページを掲載するウェブサイトにアクセスすることにより閲覧可能となるものであり，ウェブサイトではない広告情報提供システムのターゲット広告送信部がそれを送信し得るとは考えられず，動作が不明である。（ターゲット広告送信部はウェブサイトのＵＲＬを送信するということか？）
（３）段落００５６及び００５７の，ユーザ情報に基づいて関係情報を生成する旨の記載に関し，例えばユーザの地域情報，性別情報，年齢情報，職業情報，学歴情報，関心分野情報であるとされるユーザ情報から，どのようにして，ユーザ間の関係が職場の同僚であるか，学校の友人であるか，家族であるか，または隣人であるか否かといった，通話者間の関係を推測することを実現するのか，について具体的な説明が記載されておらず，生成動作が不明である。例えば，「職業情報」とは単なる職種情報であるとも解されるところ，年齢情報及び職業情報をどのように処理すれば，通話者間の関係が職場の同僚であるか否かが推測できるのかが不明である。
　なお，上記（１）及び（２）の点が不明である結果，請求項１−６に係る発明と，上記理由１）で検討した各引用文献に開示されている内容との技術的な差異が明確でないものとなっているから，差異を明らかにされたい。
　よって，この出願の発明の詳細な説明は，当業者が請求項１−６に係る発明を実施することができる程度に明確かつ十分に記載されたものでない。
理由２について
・請求項　１−６
・引用文献等　Ａ−Ｈ
・備考 
　引用文献Ａ（段落００３４−００７８，図１−３等参照）には，ユーザのソーシャル情報を用いてターゲット広告を選択して（段落００７０に，ユーザのステータスアップデート状況が社会的データ等を含むこと，段落００７１に，社会的データが，ユーザと社会的接触先との間の関係の強さ及び種類に関するデータを含むこと，段落００７４に，ユーザのステータスアップデート状況をターゲット広告にマッチさせることが，それぞれ記載されている。）ユーザ端末に送信すること，ユーザ情報（段落００７０等に記載されているステータスメッセージは，段落００６９の記載によれば，ユーザが送受信する情報であるから，ユーザ情報であるといえる。）を用いて前記ユーザの関係情報（ステータスアップデート状況）を生成し，広告データベースから前記関係情報に該当するターゲット広告を選択すること，及び，それをユーザ間に同期化して送信する（段落００６４に，ユーザが，広告をトリガした接触先と広告を共有する旨の記載がある。）ことが記載されていると認められる。
　請求項１，６に係る発明は，ユーザが，映像通話を行おうとする通話者である点，及び，ユーザ情報が，前記通話者の地域情報，性別情報，年齢情報，職業情報，学歴情報，関心分野情報のうち少なくとも１つを含む点で引用文献Ａに記載の発明と相違するが，例えば引用文献Ｂ（段落００１９−００２１），引用文献Ｃ（段落００２５−００６３）に示されているように，テレビ電話等において，映像通話を行おうとする通話者のユーザ端末にターゲット広告を送信することは周知であり，また，例えば引用文献Ｄ（段落００４８），引用文献Ｅ（段落００２６）に示されているように，性別情報等はユーザ情報として慣用されており，いずれも適宜採用しうるものである。
　また，請求項１，６に係る発明は，前記通話者のうちのいずれか一人によって前記ターゲット広告が選択された場合，前記選択されたターゲット広告に関するウェブページを前記ターゲット広告を選択した通話者及び通話相手に送信するものであるのに対し，引用文献Ａに記載の発明はそのような限定や構成を有しない点でも相違するが，複数のユーザが互いにコミュニケーションを行う複数の端末においてウェブページを共有するため，ユーザのうちのいずれか一人によって特定のウェブページが選択された場合，前記選択されたウェブページを，当該ユーザ及び相手のユーザに送信するようにすることは，例えば引用文献Ｆ（段落００２８−００３０），引用文献Ｇ（段落００９０−０１１３）に示されているように周知であり，また，広告が選択された場合，前記選択された広告に関するウェブページが送信されるようにすることも，例えば引用文献Ｅ（段落００２４），引用文献Ｈ（段落０００４）に示されているように周知である。そして，引用文献Ａに記載の発明において，広告に加えてそれに関するウェブページを更に共有できるように，それらの周知技術を適用することは，当業者が容易に想到し得ることである。
　よって，請求項１，６に係る発明は，引用文献Ａに記載の発明及び周知技術に基づいて，当業者が容易に想到することができたものである。
　また，その余の請求項についても，周知技術や自明な事項の付加等により当業者が容易に想到しうるものである。例えば，請求項２の画面分割については引用文献Ｆ（図２），請求項３の音声情報に基づくターゲット広告の選択については引用文献Ｂ（段落００２１），請求項４の費用算出については引用文献Ｃ（段落００６０）を参照。
  
 　　　　　　　　　　　　　＜引用文献等一覧＞
Ａ．国際公開第２０１０／１０２０１２号
Ｂ．特開２００２−２７１５０７号公報
Ｃ．特開２００７−２３５５３９号公報
Ｄ．特表２００８−５２７５２７号公報
Ｅ．特開２００５−１７３８７３号公報
Ｆ．特開２００３−１３４４８４号公報
Ｇ．特開２００８−２１０１８７号公報
Ｈ．特表２００７−５１６５３７号公報
２　当審拒絶理由１の判断
（理由１について）
　平成２７年１０月２３日付け意見書の釈明により，ＶｏＩＰ音声通話をしている間にもアプリケーションを利用したデータ通信が可能であるところ，本願発明にかかる広告情報提供システムは，通話者の端末のアプリケーション（例えば，ＶｏＩＰ音声通話を提供するアプリケーション）を介して通話者の音声通話の音声情報を認識し，認識された音声情報はテキスト情報に変換され，テキスト情報に基づいて選択された広告情報が別のパケットトンネルを介して通話者のアプリケーション及び通話相手のアプリケーションに伝送されることで，通話者及び通話相手は自分の端末に設置されたアプリケーションを利用して同じターゲット広告を識別することができるようになることが明らかとなった。
　また，平成２７年１０月２３日付け手続補正により，「前記選択されたターゲット広告に関するウェブサイトのＵＲＬを前記ターゲット広告を選択した通話者及び通話相手に送信することまたは前記ウェブサイトを前記通話者及び通話相手にフォワーディングすること」が特定され，上記意見書により，本願発明のターゲット広告送信部は，直接的にウェブページを通話者及び通話相手に送信するのではなく，正しくは，例えば該当のウェブページの ＵＲＬを通話者及び通話相手に送信することが明らかとなった。ここで，「または前記ウェブサイトを前記通話者及び通話相手にフォワーディングすること」については当審拒絶理由２のとおりサポート要件違反であるものの，実施可能であることが明らかとなった。
　また，上記意見書の釈明により，例えば，「職業情報」は会社名等を含むものであり，単なる職種情報よりも広い意味を有するものであり，「職業情報」である会社名等のマッチング等の処理行うことにより関係情報（通話者間の関係が職場の同僚である等）を生成し得ることが明らかとなった。
　このことにより，発明の詳細な説明は，当業者が請求項１−６に係る発明を実施することができる程度に明確かつ十分に記載されているといえる。 
　よって，拒絶理由１（１）〜（３）は解消した。
（理由２について）
（１）刊行物の記載事項
　刊行物Ａには，以下の事項が記載されている。
「[0034] FIG. 1 is a high-level diagram illustrating the components of a system capable of supporting at least one embodiment of a status message based contextual advertising system.
[0035] A user 100 is connected to the Internet using a network connectable device 120 such as a PDA, an Internet enabled phone, a laptop or a desktop computer. The user 100 is a member of one or more social networks 300-3nn. Such networks may be defined on social networking websites such as the Facebook, MySpace or Linkedln websites which, inter alia, allow the user to receive and send status messages. The user 100 may also be a member one or more status update services 400, such as the Twitter websites, which, inter alia, allow the user to receive and send status messages. The user 100 may also utilize other web-based services that allow the user to send and receive messages. Such services can include discussion groups and personal BLOGS that allow readers to post content.  [0036] The user is associated with one or more persons 500 in the social networks 300 and the status update services 400. The nature of the associations can vary based on the nature of the social network 300 and the status update services 400, for example, the associations can be friends, relatives or business contacts. However, each person 500 is capable of sending and receiving status messages 520 to the user 100 via the social networks 300 or the status update service, 400 or both. The status messages 520 are public or semipublic, which is to say, they are visible to the general public (public), or to all, or a subset, of the persons 500 the user is associated with (semipublic) on the services 300 and 400. The messages can be messages sent explicitly to the user 100, or may be messages published to a group or messages from a source the user has subscribed to.
[0037] The user 100 may access the services 300 and 400 over the Internet 200 periodically to, inter alia, view status messages sent to the user by persons 500 in his or her social networks. The user 100 may send status messages 140 to persons 500 in his or her social networks, either as unsolicited messages, or as responses to messages the user received. On the other hand, the user 100 may never send or reply to status messages. The user 100 can additionally maintain profile information on the websites that is visible to the public or other members of user's social networks. The user can additionally provide additional details about the nature of his or her associations with persons 500 in the user's social networks.
[0038] Status messages 140 and 540 sent or received by the user 100 are retrieved, over the Internet, from the services 300 and 400, by a status message based advertising service 600. The status messages 140 and 540 may be retrieved continuously or periodically by the status message based advertising service 600. The user may have explicitly granted the status message based advertising service 600 authority to retrieve his or her status messages 140 and 540. Alternatively, the terms of service of the services 300 and 400 may require the user to consent to retrieval of the user's status messages 140 and 540 by the status message based advertising service 600.  [0039] One or more advertisers 700 have accounts with the status message based advertising service 600. The advertisers 700 can define targeted advertisements that are to be sent to persons whose status messages indicate they may be interested in the advertiser's products or services. The user's status messages 140 and 540 are analyzed (described in greater detail below) to determine if one or more targeted advertisements are, or may be, relevant to the user. The selected advertisements are sent to the user 100 using any conventional methodology suitable for the delivery of digital content. For example, the advertisements may be displayed to the user 100 when the user logs on to the on the social networking website 300 or the microblogging website 400. Alternatively, the advertisements could be sent to the user using emails, instant messages or other media.
[0040] The status message based advertising service 600 is notified when the user 100 interacts with advertisements which were transmitted to the use by the service. Such interactions could include: displaying the advertisement, mouse over the advertisement, click on the advertisement, double-click on the advertisement, drag and drop the advertisement, resize the advertisement, close the advertisements, and so forth.
[0041] Advertisers 700 which created the transmitted advertisements are billed by the status message based adverting service provider 600 based their agreement with the provider. The advertiser 700 can be charged using any conventional Internet advertising billing methodology, which could include cost-per-click (CPC) and cost-per-impression methodologies.
[0042] FIG. 2 illustrates one embodiment of a process 100 for social status message based contextual advertising.
[0043] A plurality of status messages sent to a user via one or more socially aware messaging services are retrieved 1100, over a network, for example, the Internet. In one embodiment, the user is a member of the socially aware messaging services and has defined at least one social contact to each of the services. Defined social contacts may  include any kind of relationship supported by the socially aware messaging services such as, for example, friends, relatives and business contacts. In one embodiment, only messages sent to the user by the user's defined social contacts are retrieved. In one embodiment, status messages sent by the user to one or more of the user's defined social contacts are also retrieved.
[0044] In one embodiment, relationships between users can be determined by analyzing the contents of the messages, For example, users that correspond regularly regarding social activities (e.g. meeting for dinner) could be defined as friends.
[0045] The messages may be retrieved by any methodology supported by the socially aware messaging services. In one embodiment, the process 1000 may log onto each socially aware messaging service and view the user's messages through the facilities provided by the service to ordinary users (e.g. a profile web page.) In one embodiment, a socially aware messaging service may provide an API through which the process 1000 can retrieve data relating to users of the site. In one embodiment, a socially aware messaging service may provide an RSS feed or other form of pushed data delivery relating to users of the site to the process 1000. The content of the messages can be any form of digital content. Typically, this will include text, but may also include emotive symbols (e.g. Emoticon symbols), or graphic or media objects.
[0046] The socially aware messaging services from which messages are retrieved may become known to the process 1000 in a number of different ways. A user may explicitly join a status update context based advertising service and define social networking sites or other status message services from which the process 1000 should retrieve messages. Joining a social networking site may automatically enroll the user in a status update context based advertising service. An automated process can additionally retrieve public data available over the Internet to attempt to identify the user's implicit social graph. The user may explicitly grant the process 1000 authority to retrieve his or her status messages 140. Alternatively, the terms of service of one or more of the socially aware messaging  services may require the user to consent to retrieval of the user's status messages by a status message based advertising service.
[0047] The retrieval process 1100 can be executed periodically, or continuously (i.e. in real-time) to retrieve the user's status messages as frequently as desired. In one embodiment, the retrieval process 1100 may be triggered by an event, such as the user logging onto a social networking website.
[0048] The status messages are then analyzed 1200 to determine the user's current status update context. The user's status update context can be broadly defined as the total set of influences the user is exposed to through interaction with his or her current social network and the relative strength of such influences. For example, one of a user's friends may have strong interests or opinions on specific topics, such as a favorite brand of running shoes. The user will be exposed to his or her friends interests, for example, by comments in status messages, and may be influenced by them. If the user's friend is a close friend, the relative strength of such an influence is likely stronger that if the user's friend is a casual acquaintance.
[0049] In one embodiment, the user's status update context comprises the total set of social, topical, spatial and temporal data present or implied in status messages that the user sends and receives from his or her contacts through one or more social networking sites.
[0050] Social data is data that relates to the strength and type of the relationships between the user and contacts sending messages to the user. The type of the relationship shared between the user and a contact can be explicitly defined on the source socially aware messaging service, e.g. a friend, a relative a co-worker, a business prospect. The type of the relationship shared between the user and a contact can be inferred by the content of messages sent between the user and the contact, e.g. messages relating to business transactions indicate a business relationship.  [0051] The strength of a relationship can be explicitly defined on the source social socially aware messaging service, e.g. my best friend. The strength of a relationship can inferred by the frequency of messages sent by a contact to the user or by the frequency with which the user replies to messages sent by the contact. The strength of a relationship can be inferred by commonalities between the user and the contact. For example, the contact and the user can be located in the same geographical area, be approximately the same age or user and the contact may both send messages that relate to the same topic. The strength of a relationship can be inferred by the frequency of contacts between users or by the content of the messages,
[0052] Topical data is data related to topics that are discussed in status messages. Topics can refer or relate to persons, such as celebrities, third parties known by the user and the sending contact or specific service providers such as tradesmen or professionals (e.g. doctors, dentists.) Topics can refer or relate to entities such as businesses, sports teams, charitable organizations, restaurants, bars and clubs. Topics can refer or relate to brands or types of consumer products. Topics can refer or relate to abstract ideas or categories such as genres of music, types of literature, religious or philosophical concepts. Topics can refer or relate to the senders emotional state or physical well-being.
[0053] Temporal data are data relating to dates and times which are related to the ideas embodied in status messages. Temporal data may relate to current dates and times, may be a specific date and time in the past or the future, or a range of dates and times in the past or the future. Temporal data may relate be an offset from a specific date, for example, ten days in the past. Temporal data may relate to an event on a calendar, such as a birthday, a season or a holiday, or an event in the news, such as the last time a favorite sports team won a championship.
[0054] Spatial data is data related to physical locations. Spatial data can relate to a contact's current location. Spatial data can relate to a specific place, such as a country, a state, a city, a neighborhood. Spatial data can relate to the location of an event, such as a  concert or some other newsworthy occurrence. Spatial data can relate to a general description of places of interest, such as blues or jazz clubs.
[0055] The analysis process 1200 can be executed periodically, or continuously (i.e. in real-time) to update the user's current status update context as frequently as desired. In one embodiment, the analysis process 1200 may be triggered by an event, such as the user logging onto a social networking website.
[0056] The user's status update context is then matched 1400 to one or more targeted advertisements. In one embodiment, targeted advertisements are stored on a computer- readable medium and comprise an identification of an advertiser, at least one advertisement (such as a display ad, a flash movie or a text message), and a targeting profile comprising at least one targeting criteria. The targeting criteria may comprise any combination of social, topical, spatial or temporal criteria that defines the status update context of customers to which the advertisement is targeted. In one embodiment the user's status update context is matched to the targeting criteria of targeted advertisements.
[0057] Social targeting criteria target specific relationships or patterns of relationships. For example, targeting criteria can target types of relationships such as friends, relatives, or business prospects. Targeting criteria can target relationships which appear to be strong relationships, e.g. best friends, contacts which appear to share many interests in common with the user or contacts to whose messages the user responds to frequently.
[0058] Topical targeting criteria target specific topics or generic topics. For example, specific topics can relate to a specific person, e.g. a specific musical artist, or a generic type of person, e.g. all musical artists. Targeting criteria can target specific entities such as a specific business or organization, or can relate to generic types of entities such as businesses, sports teams, charitable organizations, restaurants, bars and clubs. Targeting criteria can target specific brands or generic types of consumer products. Targeting  criteria can target abstract ideas or categories of abstract ideas such as genres of music, types of literature, religious or philosophical concepts. Targeting criteria can target the sender's apparent emotional state or apparent physical well-being.
[0059] Topical targeting criteria target specific or relative dates and times. Topical targeting criteria target can target current dates and times, can target a specific date and time in the past or the future, or can target a range of dates and times in the past or the future. Temporal targeting criteria can target a specific date, for example, ten days in the past. Temporal targeting criteria can target a an event on a calendar, such as a birthday, a season or a holiday, or an event in the news, such as the last time a favorite sports team won a championship.
[0060] Spatial targeting criteria target specific or generic physical locations. Spatial targeting criteria can target a specific contact's current location. Spatial targeting criteria can target a specific place, such as a country, a state, a city, a neighborhood. Spatial targeting criteria can target the location of an event, such as a concert or some other newsworthy occurrence. Spatial targeting criteria can target generic types of places of interest, such as blues or jazz clubs.
[0061] Targeting criteria can additionally include data frequency or distribution criteria. Data frequency criteria can specify that a specific social, topical, temporal or spatial targeting criteria or set of criteria must appear in at least a threshold number of messages. For example, an automobile manufacturer may only wish to target users who have received at least 10 automobile related messages in the last month. Data distribution criteria can specify that a specific social, topical, temporal or spatial targeting criteria must appear in a group of messages having specific statistical properties. For example, a music download service may only wish to target users who have received at least 10 messages from at least three different contacts the user has defined as friends. In another example, a travel service may only wish to target users who have received at least 10 messages related to travel from at least two different social networking sites.  [0062] The matching process 1400 can be executed periodically, or continuously (i.e. in real-time) to match the user's current status update context to targeted advertisements as frequently as desired. In one embodiment, the matching process 1400 may be triggered by an event, such as the user logging onto a social networking website.
[0063] The matched targeted advertisements are then transmitted to the user 1600. The matched targeted advertisements can be sent to the user using any conventional methodology suitable for the delivery of digital content. For example, the advertisements may be displayed to the user when the user logs on to a social networking website or a microblogging website. Alternatively, the advertisements could be sent to the user using emails, instant messages, SMS or other media.
[0064] Advertisements can include social graph information that triggered the advertisements. In one embodiment, the contacts whose messages triggered the advertisement can be displayed with the advertisement, either automatically, or on the occurrence of a user interface event, e.g. right-clicking on the advertisement. In one embodiment, the user could share or recommend the advertisement to contacts that triggered the advertisement.
[0065] The process receives notifications of user interface events 1800 related to the transmitted advertisements when the user displays or otherwise interacts with the advertisements. Such events could include: displaying an advertisement, mouse over an advertisement, click on an advertisement, double-click on an advertisement, drag and drop an advertisement, resize an advertisement, close an advertisements, and so forth.
[0066] In one embodiment, at least some of the targeted advertisements additionally comprise a fee that is assessed to the advertiser when a user interface event related to the advertisement occurs. In such a case, the advertiser that created the targeted advertisement is charged the fee 1900 when a notification that the user interface event occurred is received. In one embodiment, advertisers can be charged using any  conventional Internet advertising billing methodologies, which could include cost-per- click (CPC) and cost-per-impression methodologies.
[0067] FIG. 3 illustrates one embodiment of a status update context advertising engine 2000 which is capable of supporting the social status message based contextual advertising process illustrated in FIG. 2 In one embodiment, the status update context advertising engine 2000 could be hosted by a server provided by the status message based advertising service 600 of FIG. 1.
[0068] The status update context advertising engine 2000 comprises: a message retrieval module 2100, a message analysis module 2200, an advertisement matching module 2400, an advertisement transmission module 2600 and an advertising revenue module 2800. In one embodiment, the modules are computer executable code stored on a computer- readable medium.
[0069] The message retrieval module 2200 is configured to retrieve, over a network, a plurality of status messages sent to a user via at least one socially aware messaging service, where the user is a member of the socially aware messaging services and has defined at least one social contact on services, and where each of the status messages was sent to the user by one at least one of the user's social contacts. The status messages retrieved by the message retrieval module 2200 can additionally include status messages sent by the user, via socially aware messaging services, to at least one of the user's social contacts.
[0070] The message analysis module 2200 is configured to analyze the status messages retrieved by the message retrieval module to determine the user's status update context. In one embodiment, the user's status update context comprises a set of social, topical, spatial and temporal data present in the plurality of status messages that the user sends and receives from his or her contacts through one or more socially aware messaging services.  [0071] In one embodiment, the social data in the user's status update context comprises data relating to the strength and type of relationships between the user and the social contacts that sent status messages to the user. In one embodiment, the strength of a relationship between the user and a social contact can be determined by the message analysis module using a definition of the relationship maintained by the user on the at least one social networking site.
[0072] In one embodiment, the strength of a relationship between a user and a social contact is determined by the message analysis module 2200 using a definition of the relationship maintained by the user on a social networking site. In one embodiment, the strength of the relationship between a user and a social contact is determined by the message analysis module using the frequency of messages between a user and the social contact. In one embodiment, the strength of the relationship between the user a social contact is determined by the message analysis module using the similarity of topical data in status messages sent by the user and by the at least one social contact.
[0073] In one embodiment, the topical data in the user's status update context comprises data related to topics that are discussed in the status messages retrieved by the message retrieval module 2200. In one embodiment, the temporal data in the user's status update context comprises data relating to dates and times in the status messages retrieved by the message retrieval module 2200. In one embodiment, the spatial data in the user's status update context comprises data relating to physical locations in the he status messages retrieved by the message retrieval module 2200.
[0074] The advertisement matching module 2400 is configured to match the user's status update context (as determined by the message analysis module) to at least one targeted advertisement stored on a computer-readable medium. In one embodiment, each targeted advertisement comprises an identification of an advertiser, at least one advertisement (such as a display ad, text ad or flash movie), and a targeting profile comprising at least one targeting criteria. The targeting criteria are matched to the user's status update context.  [0075] The targeting criteria can include social targeting criteria, targeting topical criteria, temporal targeting criteria and spatial targeting criteria. The at least one targeting criteria can include at least one data frequency criteria. For example, a data frequency criteria can specify a threshold number of status messages retrieved by the message retrieval module 2200 must relate to a specific social targeting criteria, topical targeting criteria, temporal targeting criteria or spatial targeting criteria.
[0076] The targeting criteria can include data distribution criteria. For example, a data distribution criteria could specify that a specific social targeting criteria, topical targeting criteria, temporal targeting criteria, or spatial targeting criteria must appear in a threshold number of the status messages retrieved by the message retrieval module 2200 from at least two the user's social contacts. A data distribution criteria could also specify that a specific social targeting criteria, topical targeting criteria, temporal targeting criteria or spatial targeting criteria must appear in a threshold number of the status messages retrieved by the message retrieval module 2200 from at least two socially aware messaging services..
[0077] The advertisement transmission module 2600 is configured to transmit the matched targeted advertisements, over the network, to the user. The matched targeted advertisements can be sent to the user using any conventional methodology suitable for the delivery of digital content. For example, the advertisements may be displayed to the user when the user logs on to a social networking website. Alternatively, the advertisements could be sent to the user using emails, instant messages or other media.
[0078] In one embodiment, at least some targeted advertisements additionally include a fee that is assessed to the advertiser when a user interface event related to the targeted advertisements occur. In one embodiment, the advertising revenue module 2800 is configured to receive, over the network, notifications that user interface event related to a targeted advertisement has occurred to charge the advertising fee to the advertiser that placed the advertisement.  [0079] Those skilled in the art will recognize that the methods and systems of the present disclosure may be implemented in many manners and as such are not to be limited by the foregoing exemplary embodiments and examples. In other words, functional elements being performed by single or multiple components, in various combinations of hardware and software or firmware, and individual functions, may be distributed among software applications at either the client level or server level or both. In this regard, any number of the features of the different embodiments described herein may be combined into single or multiple embodiments, and alternate embodiments having fewer than, or more than, all of the features described herein are possible. Functionality may also be, in whole or in part, distributed among multiple components, in manners now known or to become known. Thus, myriad software/hardware/firmware combinations are possible in achieving the functions, features, interfaces and preferences described herein. Moreover, the scope of the present disclosure covers conventionally known manners for carrying out the described features and functions and interfaces, as well as those variations and modifications that may be made to the hardware or software or firmware components described herein as would be understood by those skilled in the art now and hereafter. 」（１０〜２１ページ）
（［当審仮訳］：
[0034]　図１は，ステータスメッセージに基づくコンテンツ連動型広告システムの少なくとも１つの実施形態をサポートできるシステムの構成要素を示す高レベル図である。
[0035]　ユーザ１００は，ＰＤＡ，インターネット対応電話，ラップトップ又はデスクトップコンピュータなどのネットワーク接続可能装置１２０を使用してインターネットに接続される。ユーザ１００は，１又はそれ以上のソーシャルネットワーク３００〜３ｎｎのメンバである。このようなネットワークは，ＦａｃｅＢｏｏｋ，ＭｙＳｐａｃｅ又はＬｉｎｋｅｄＩｎウェブサイトなどの，とりわけユーザがステータスメッセージを送受信できるソーシャルネットワーキングウェブサイト上で定義することができる。ユーザ１００は，Ｔｗｉｔｔｅｒウェブサイトなどの，とりわけユーザがステータスメッセージを送受信できる１又はそれ以上のステータスアップデートサービス４００のメンバであってもよい。ユーザ１００は，ユーザがメッセージを送受信できるその他のウェブベースのサービスを利用することもできる。このようなサービスは，読者がコンテンツを投稿できるディスカッショングループ及びパーソナルＢＬＯＧを含むことができる。
[0036]　
ユーザは，ソーシャルネットワーク３００及びステータスアップデートサービス４００における１又はそれ以上の人物５００と関係がある。この関係の特性は，ソーシャルネットワーク３００及びステータスアップデートサービス４００の特性に基づいて様々であってよく，例えばこの関係は，友人，親戚又は取引相手であってもよい。
[0037]　ユーザ１００は，インターネット２００を介して定期的にサービス３００及び４００にアクセスして，とりわけユーザのソーシャルネットワーク内の人物５００がユーザへ送信したステータスメッセージを見ることができる。ユーザ１００は，ユーザのソーシャルネットワーク内の人物５００へ，非請求メッセージとして又はユーザが受信したメッセージに対する応答としてステータスメッセージ１４０を送信することができる。一方で，ユーザ１００が決してステータスメッセージを送信せず，又はステータスメッセージに応答しない可能性もある。また，ユーザ１００は，一般の人々又はユーザのソーシャルネットワークの他のメンバが見ることができるプロファイル情報をウェブサイト上に保持することもできる。また，ユーザは，ユーザとユーザのソーシャルネットワーク内の人物５００との関係の特性に関する追加の詳細を提供することもできる。
[0038]　
ユーザ１００が送信又は受信したステータスメッセージ１４０及び５４０は，ステータスメッセージに基づく広告サービス６００によりサービス３００及び４００からインターネットを介して検索される。
[0039]　１又はそれ以上の広告主７００は，ステータスメッセージに基づく広告サービス６００のアカウントを有する。
広告主７００は，広告主の製品又はサービスに興味がある可能性のあることを示すステータスメッセージを有する人物に送信するターゲット広告を定めることができる。ユーザのステータスメッセージ１４０及び５４０を分析して（以下でより詳細に説明する），１又はそれ以上のターゲット広告がユーザに関連するかどうか，又は関連する可能性があるかどうかを判断する。選択した広告を，デジタルコンテンツの配信に適したいずれかの従来の方法を使用してユーザ１００へ送信する。
[0040]　ステータスメッセージに基づく広告サービス６００は，ユーザ１００が，このサービスがユーザに送信した広告とやりとりしたときに通知を受ける。このようなやりとりとして，広告を表示すること，広告にマウスを合わせること，広告をクリックすること，広告をダブルクリックすること，広告をドラッグアンドドロップすること，広告のサイズを変更すること，広告を閉じることなどを挙げることができる。
[0041]　送信した広告を作成した広告主７００は，ステータスメッセージに基づく広告サービスプロバイダ６００により，このプロバイダとの契約に基づいて課金される。広告主７００は，コストパークリック（ＣＰＣ）及びコストパーインプレッション法を含むことができるいずれかの従来のインターネット広告課金法を使用して課金される。
[0042]　図２は，ソーシャルステータスメッセージに基づくコンテンツ連動型広告のための処理１００の１つの実施形態を示す図である。
[0043]　１又はそれ以上の社会的に認識されたメッセージングサービスを介してユーザへ送信された複数のステータスメッセージを，例えばインターネットなどのネットワークを介して検索する１１００。１つの実施形態では，ユーザが社会的に認識されたメッセージングサービスのメンバであり，サービスの各々に対して少なくとも１つの社会的接触先を定義している。
定義される社会的接触先は，例えば，友人，親戚及び取引相手などの，社会的に認識されたメッセージングサービスによりサポートされるあらゆる種類の関係を含むことができる。
[0044]　１つの実施形態では，
メッセージの内容を分析することにより，ユーザ間の関係を特定することができる。例えば，（夕食会などの）社会活動に関して定期的に連絡するユーザは友人として定義することができる。
[0045]　社会的に認識されたメッセージングサービスによりサポートされるいずれかの方法によってメッセージを検索することもできる。１つの実施形態では，処理１０００が個々の社会的に認識されたメッセージングサービスにログオンし，サービスが一般ユーザに提供する（プロファイルウェブページなどの）機能を介してユーザのメッセージを見ることができる。１つの実施形態では，社会的に認識されたメッセージングサービスがＡＰＩを提供することができ，これを介して処理１０００がサイトのユーザに関するデータを検索することができる。１つの実施形態では，社会的に認識されたメッセージングサービスが，ＲＳＳフィード又はサイトのユーザに関する他の形のプッシュ型データ配信を処理１０００に提供することができる。メッセージの内容は，あらゆる形のデジタルコンテンツであってよい。通常，このコンテンツはテキストを含むが，（「顔文字」記号などの）感情を表す記号，或いはグラフィック又はメディアオブジェクトを含むこともできる。
[0046]　処理１０００は，メッセージの検索を行う社会的に認識されたメッセージングサービスをいくつかの異なる方法で知るようになる。ユーザは，ステータスアップデート状況に基づく広告サービスに明示的に参加して，処理１０００でメッセージを検索すべきソーシャルネットワーキングサイト又はその他のステータスメッセージサービスを定義することができる。ユーザは，ソーシャルネットワーキングサイトに参加することで，ステータスアップデート状況に基づく広告サービスに自動的に登録することができる。インターネットを介して利用可能な公開データを自動化処理によってさらに検索して，ユーザの暗黙的ソーシャルグラフを識別しようと試みることができる。ユーザは，処理１０００がユーザのステータスメッセージ１４０を検索するための権限を明示的に承諾することができる。或いは，社会的に認識されたメッセージングサービスの１又はそれ以上の利用規約により，ステータスメッセージに基づく広告サービスがユーザのステータスメッセージを検索することを承諾するようにユーザに求めることもできる。
[0047]　検索処理１１００を定期的に又は継続的に（すなわちリアルタイムで）実行して，ユーザのステータスメッセージを所望の頻度で検索することができる。１つの実施形態では，ソーシャルネットワーキングウェブサイトへのユーザログオンなどのイベントによって検索処理１１００をトリガすることができる。
[0048]　次に，ステータスメッセージを分析して，ユーザの現在のステータスアップデート状況を特定する１２００。
ユーザのステータスアップデート状況は，ユーザと現在のソーシャルネットワークとのやりとりを介してユーザが受ける影響の全体集合及びこのような影響の相対的強度として広義に定義することができる。例えば，ユーザの友人のうちの１人が，気に入ったランニングシューズブランドなどの特定のトピックに強い興味又は意見を持つ場合がある。ユーザは，例えばステータスメッセージ内のコメントによってユーザの友人の興味に触れ，これらに影響を受ける可能性がある。ユーザの友人が親しい友人である場合，このような影響の相対的強度は，ユーザの友人がちょっとした知り合いである場合よりも強くなる可能性がある。
[0049]　１つの実施形態では，ユーザのステータスアップデート状況が，ユーザが１又はそれ以上のソーシャルネットワーキングサイトを介してユーザの接触先との間で送受信するステータスメッセージ内に存在する又は暗示される社会的データ，トピックデータ，空間データ及び時間データの全体集合を含む。
[0050]　
社会的データは，ユーザと，ユーザにメッセージを送信する接触先との間の関係の強さ及び種類に関するデータである。ユーザと接触先との間で共有される関係の種類は，友人，親戚，同僚，仕事上の見込み客などのように，社会的に認識されたメッセージングサービスのソースに明示的に定義することができる。
[0051]　
関係の強さは，親友などのように，社会的に認識されたメッセージングサービスのソースに明示的に定義することができる。
関係の強さは，ユーザと接触先との間の共通点によって推測することもできる。例えば，接触先及びユーザが同じ地理的地域に存在することがあり，ほぼ同じ年齢であることもあり，或いはユーザ及び接触先の両方が同じトピックに関するメッセージを送信することもある。関係の強さは，ユーザ間の接触の頻度，又はメッセージの内容によって推測することもできる。
[0052]　
トピックデータは，ステータスメッセージ内で話題になったトピックに関するデータである。トピックは，著名人，ユーザ及び送信元の接触先が知っている第三者，或いは店員又は（医者，歯医者などの）専門家などの特定のサービス提供者などの人物を示し，又はこれらに関連することができる。トピックは，企業，スポーツチーム，慈善団体，レストラン，バー及びクラブなどの実体を示し，又はこれらに関連することもできる。トピックは，消費財のブランド又は種類を示し，又はこれらに関連することもできる。トピックは，音楽のジャンル，文学の種類，宗教又は哲学的概念などの抽象的観念又はカテゴリを示し，又はこれらに関連することもできる。トピックは，送信者の感情状態又は身体的健康状態を示し，又はこれらに関連することもできる。
[0053]　時間データは，ステータスメッセージ内で具体化される観念に関する日付及び時間に関するデータである。時間データは，現在の日付及び時間に関連することができ，過去又は将来の特定の日付及び時間，或いは過去又は将来の日付及び時間の範囲であってもよい。時間データは，例えば過去１０日間などの，特定の日付からのずれに関連することもできる。時間データは，誕生日，季節又は休日などのカレンダー上のイベント，或いはお気に入りのスポーツチームが最後に優勝したときなどのニュース内のイベントに関連することもできる。
[0054]　空間データは，物理的位置に関するデータである。空間データは，接触先の現在の位置に関連することができる。
空間データは，国，州，市，近所などの特定の場所に関連することもできる。空間データは，コンサート又は他の何らかの報道価値のある出来事などのイベントの場所に関連することもできる。空間データは，ブルース又はジャズクラブなどの興味のある場所の概要に関連することもできる
[0055]　分析処理１２００を定期的に又は継続的に（すなわちリアルタイムで）実行して，ユーザの現在のステータスアップデート状況を所望の頻度で更新することができる。１つの実施形態では，分析処理１２００を，ソーシャルネットワーキングウェブサイトへのユーザログオンなどのイベントによってトリガすることができる。
[0056]　次に，
ユーザのステータスアップデート状況を１又はそれ以上のターゲット広告にマッチさせる１４００
[0057]　社会的ターゲティング基準は，特定の関係又は関係のパターンを対象とする。例えば，ターゲティング基準は，「友人」，「親戚」，又は「仕事上の見込み客」などの関係の種類を対象とすることができる。ターゲティング基準は，「親友」などの強力な関係と思われる関係，ユーザと共通する多くの興味を共有していると思われる接触先，又はユーザがメッセージに頻繁に応答する接触先を対象とすることができる。
[0058]　トピック的ターゲティング基準は，特定のトピック又は一般的なトピックを対象とする。例えば，特定のトピックは，特定の音楽アーティストなどの特定の人物，又は全ての音楽アーティストなどの一般的な種類の人物に関連することができる。ターゲティング基準は，特定の企業又は組織などの特定の実体を対象とすることができ，又は企業，スポーツチーム，慈善団体，レストラン，バー及びクラブなどの一般的な種類の実体に関連することができる。ターゲティング基準は，特定のブランド又は一般的な種類の消費財を対象とすることもできる。ターゲティング基準は，抽象的な観念，又は音楽のジャンル，文学の種類，宗教又は哲学的概念などの抽象的な観念のカテゴリを対象とすることもできる。ターゲティング基準は，送信者の明らかな感情状態又は明らかな身体的健康状態を対象とすることもできる。
[0059]　トピック的ターゲティング基準は，特定の又は相対的な日付及び時間を対象とする。トピック的ターゲティング基準のターゲットは，現在の日付及び時間を対象とすることができ，過去又は将来の特定の日付及び時間を対象とすることができ，或いは過去又は将来における日付及び時間の範囲を対象とすることができる。時間的ターゲティング基準は，例えば過去１０日間などの特定の日付を対象とすることもできる。時間的ターゲティング基準は，誕生日，季節又は休日などのカレンダー上のイベント，或いはお気に入りのスポーツチームが最後に優勝したときなどのニュース内のイベントを対象とすることもできる。
[0060]　空間的ターゲティング基準は，特定の又は一般的な物理的位置を対象とする。空間的ターゲティング基準は，特定の接触先の現在の位置を対象とすることができる。空間的ターゲティング基準は，国，州，市，近所などの特定の場所を対象とすることもできる。空間的ターゲティング基準は，コンサート又は他の何らかの報道価値のある出来事などのイベントの場所を対象とすることもできる。空間的ターゲティング基準は，ブルース又はジャズクラブなどの，一般的な種類の興味のある場所を対象とすることもできる。
[0061]　ターゲティング基準は，データ頻度又は配信基準をさらに含むことができる。データ頻度基準は，少なくとも閾値数のメッセージ内に特定の社会的，トピック的，時間的又は空間的ターゲティング基準又は基準の集合が出現しなければならないことを規定することができる。例えば，自動車メーカーは，先月少なくとも１０通の自動車関連のメッセージを受信したユーザのみを対象にしたいと望むことができる。データ配信基準は，特定の統計的特性を有する一群のメッセージ内に特定の社会的，トピック的，時間的又は空間的ターゲティング基準が出現しなければならないことを規定することができる。例えば，音楽ダウンロードサービスは，ユーザが友人として定義している少なくとも３人の異なる接触先から少なくとも１０通のメッセージを受信したユーザのみを対象にしたいと望むことができる。別の例では，旅行サービスが，少なくとも２つの異なるソーシャルネットワーキングサイトから旅行に関する少なくとも１０通のメッセージを受信したユーザのみを対象にしたいと望むことができる。
[0062]　
マッチング処理１４００を定期的に又は継続的に（すなわちリアルタイムで）実行して，ユーザの現在のステータスアップデート状況をターゲット広告に所望の頻度でマッチさせることができる。１つの実施形態では，マッチング処理１４００を，ソーシャルネットワーキングウェブサイトへのユーザログオンなどのイベントによってトリガすることができる。
[0063]　
次に，マッチしたターゲット広告をユーザへ送信する１６００。このマッチしたターゲット広告は，デジタルコンテンツの配信に適したあらゆる従来の方法によってユーザへ送信することができる。
[0064]　広告は，広告をトリガしたソーシャルグラフ情報を含むことができる。１つの実施形態では，広告をトリガしたメッセージの発信元である接触先を，自動的に，又は広告を右クリックすることなどのユーザインターフェイスイベントの発生時に広告とともに表示することができる。１つの実施形態では，
ユーザが，広告をトリガした接触先と広告を共有し，又はこれらの接触先に広告を推薦することができる。
[0065]　この処理では，送信した広告をユーザが表示し，又はこの広告と別様にやりとりしたときに，この広告に関連するユーザインターフェイスイベントの通知を受け取る１８００。このようなイベントとして，広告を表示すること，広告にマウスを合わせること，広告をクリックすること，広告をダブルクリックすること，広告をドラッグアンドドロップすること，広告のサイズを変更すること，広告を閉じることなどを挙げることができる。
[0066]　１つの実施形態では，ターゲット広告の少なくともいくつかが，広告に関連するユーザインターフェイスイベントが発生したときに広告に課される料金をさらに含む。このような場合，ターゲット広告を作成した広告主は，ユーザインターフェイスイベントが発生したという通知を受け取ったときに料金を課金される１９００。１つの実施形態では，コストパークリック（ＣＰＣ）及びコストパーインプレッション法を含むことができるいずれかの従来のインターネット広告課金法を使用して広告主に課金することができる。
[0067]　図３は，図２に示すソーシャルステータスメッセージに基づくコンテンツ連動型広告の処理をサポートできるステータスアップデート状況広告エンジン２０００の１つの実施形態を示す図である。１つの実施形態では，図１のステータスメッセージに基づく広告サービス６００により提供されるサーバが，ステータスアップデート状況広告エンジン２０００をホストすることができる。
[0068]　ステータスアップデート状況広告エンジン２０００は，メッセージ検索モジュール２１００と，メッセージ分析モジュール２２００と，広告マッチングモジュール２４００と，広告送信モジュール２６００と，広告収入モジュール２８００とを含む。１つの実施形態では，これらのモジュールが，コンピュータ可読媒体に記憶されたコンピュータ実行可能コードである。
[0069]　メッセージ検索モジュール２２００は，社会的に認識されたメッセージングサービスのメンバであるとともに少なくとも１つの社会的接触先をサービス内に定義しているユーザへ，少なくとも１つの社会的に認識されたメッセージングサービスを介してこのユーザの社会的接触先の少なくとも１つにより各々が送信された複数のステータスメッセージをネットワークを介して検索するように構成される。メッセージ検索モジュール２２００によって検索されるステータスメッセージは，ユーザが，社会的に認識されたメッセージングサービスを介してユーザの社会的接触先の少なくとも１つへ送信したステータスメッセージをさらに含むことができる。
[0070]　メッセージ分析モジュール２２００は，メッセージ検索モジュールにより検索されたステータスメッセージを分析して，ユーザのステータスアップデート状況を特定するように構成される。１つの実施形態では，ユーザのステータスアップデート状況が，ユーザが１又はそれ以上の社会的に認識されたメッセージングサービスを介してユーザの接触先との間で送受信した複数のステータスメッセージ内に存在する社会的データ，トピックデータ，空間データ及び時間データの集合を含む。
[0071]　１つの実施形態では，
ユーザのステータスアップデート状況における社会的データが，ユーザと，ユーザにステータスメッセージを送信した社会的接触先との間の関係の強さ及び種類に関するデータを含む。
メッセージ分析モジュールが，ユーザが少なくとも１つのソーシャルネットワーキングサイト上に保持する関係の定義を使用して，ユーザと社会的接触先との間の関係の強さを求めることができる。
[0072]　１つの実施形態では，メッセージ分析モジュール２２００が，ユーザがソーシャルネットワーキングサイト上に保持する関係の定義を使用して，ユーザと社会的接触先との間の関係の強さを求める。１つの実施形態では，メッセージ分析モジュールが，ユーザと社会的接触先との間のメッセージの頻度を使用して，ユーザと社会的接触先との間の関係の強さを求める。１つの実施形態では，
メッセージ分析モジュールが，ユーザ及び少なくとも１つの社会的接触先が送信したステータスメッセージ内のトピックデータの類似性を使用して，ユーザと社会的接触先との間の関係の強さを求める。
[0073]　１つの実施形態では，
ユーザのステータスアップデート状況におけるトピックデータが，メッセージ検索モジュール２２００により検索されたステータスメッセージ内で話題になったトピックに関連するデータを含む
[0074]　広告マッチングモジュール２４００は，（メッセージ分析モジュールにより特定された）ユーザのステータスアップデート状況を，コンピュータ可読媒体に記憶された少なくとも１つのターゲット広告にマッチさせるように構成される。１つの実施形態では，個々のターゲット広告が，広告主の識別情報と，（ディスプレイ広告，テキスト広告又はフラッシュムービーなどの）少なくとも１つの広告と，少なくとも１つのターゲティング基準を含むターゲティングプロファイルとを含む。このターゲティング基準をユーザのステータスアップデート状況にマッチさせる。
[0075]　ターゲティング基準は，社会的ターゲティング基準，トピック的ターゲティング基準，時間的ターゲティング基準及び空間的ターゲティング基準を含むことができる。少なくとも１つのターゲティング基準は，少なくとも１つのデータ頻度基準を含むことができる。例えば，データ頻度基準は，メッセージ検索モジュール２２００により検索された閾値数のステータスメッセージが，特定の社会的ターゲティング基準，トピック的ターゲティング基準，時間的ターゲティング基準又は空間的ターゲティング基準に関連していなければならないことを規定することができる。
[0076]　ターゲティング基準はデータ配信基準を含むことができる。例えば，データ配信基準は，メッセージ検索モジュール２２００がユーザの少なくとも２つの社会的接触先から検索した閾値数のステータスメッセージ内に特定の社会的ターゲティング基準，トピック的ターゲティング基準，時間的ターゲティング基準，又は空間的ターゲティング基準が出現しなければならないことを規定することができる。データ配信基準は，メッセージ検索モジュール２２００が少なくとも２つの社会的に認識されたメッセージングサービスから検索した閾値数のステータスメッセージ内に特定の社会的ターゲティング基準，トピック的ターゲティング基準，時間的ターゲティング基準又は空間的ターゲティング基準が出現しなければならないことを規定することもできる。
[0077]　広告送信モジュール２６００は，マッチするターゲット広告をネットワークを介してユーザへ送信するように構成される。このマッチするターゲット広告は，デジタルコンテンツの配信に適したいずれかの従来の方法を使用してユーザへ送信することができる。例えば，ユーザがソーシャルネットワーキングウェブサイトにログオンしたときにユーザに広告を表示することができる。或いは，電子メール，インスタントメッセージ又はその他の媒体を使用してユーザへ広告を送信することもできる。
[0078]　１つの実施形態では，少なくともいくつかのターゲット広告が，ターゲット広告に関連するユーザインターフェイスイベントが発生したときに広告主に課される料金をさらに含む。１つの実施形態では，広告収入モジュール２８００が，ターゲット広告に関連するユーザインターフェイスイベントが発生して，広告を掲示した広告主に広告料金を課金したという通知をネットワークを介して受信するように構成される。）
（［当審注］：当審仮訳は，刊行物Ａのパテントファミリーである特表２０１２−５１９９１５号公報の記載に基づいて合議体が作成した。）
　上記記載によれば，刊行物Ａには
「ユーザが送受信する情報を用いて，ユーザと社会的接触先との間の関係の強さ及び種類に関するデータを含む社会的データ等を含むユーザのステータスアップデート状況を生成し，当該ユーザのステータスアップデート状況をターゲット広告にマッチさせてターゲット広告を選択し，ユーザ端末に送信し，ユーザが，広告をトリガした接触先と広告を共有する。」発明（以下，「引用発明Ａ」という。）が記載されていると認められる。
　刊行物Ｂには，以下の事項が記載されている。
「【００１９】
【発明の実施の形態】（実施の形態１）以下，本発明の第１の実施の形態におけるテレビ電話システムについて，図面を参照しながら説明する。図１は本実施の形態１におけるテレビ電話システムの構成ブロック図である。このテレビ電話システムは，ネットワークとしてオープンネットワークである一般電話回線（公衆電話網）Ｎを使用したもので，
各クライアント（話者Ａ，Ｂ）はテレビ電話端末１を用いて通信を行う。
【００２０】図２はテレビ電話端末１の概略構成を示すブロック図である。図２において，テレビ電話端末１は，上記カメラ２と，そのカメラ２により撮影された画像信号を公衆電話網Ｎを介して送るための信号に変換するための画像管理部５と，マイク６及びスピーカ７を備えた上記受話器３と，マイク１３からの信号を音声信号に変換する音声入力部８と，音声信号をスピーカ７を介して再生する音声出力部９と，音声認識部１０と，公衆電話網Ｎを介して画像情報及び音声情報等のデータを送受信するための網制御部１１と，キーワード抽出部１２，表示情報作成部１３，表示情報蓄積部１４及び上記ディスプレイ３を有している。
【００２１】さらに詳述すると，
音声認識部１０は，網制御部１１等を介して相手端末からの音声情報（データ）及びマイク６からの音声情報を，音声認識部１０内に予め格納されている音声データ記憶部１５内の音声データに基づき音声認識を行う。キーワード抽出部１２は，音声認識部１０により認識された音声データ内からキーワードを抽出し，その抽出したキーワードを表示情報作成部１３に順次出力する。表示情報作成部１３は，キーワード抽出部１２により抽出されたキーワードに該当する広告データを表示情報蓄積部１４内より取り出して広告パターンを作成し，その広告パターンをディスプレイ３に出力して表示させる。
　刊行物Ｃには，以下の事項が記載されている。
「【００２５】
　図１は，本発明による
テレビ電話通信を利用した広告情報配信システム
【００２６】
　図１において，本発明は，移動機１，基地局２，ＲＮＣ３，回線交換網４，パケット交換網５，課金ゲートウェイ６を有して構成される。さらに移動機１に広告情報を配信するための広告配信サーバ７も備える。
【００２７】
　移動機１は，テレビ電話通信を行う端末装置であり，無線インタフェース１０１（図２参照）を介して基地局２と接続され，その他の有線回線はＡＭＴプロトコルまたはＩＰで接続される。基地局２と移動機１とは無線送受信を行う。
【００２８】
　ＲＮＣ３は無線ネットワーク制御装置であり，無線リソースの管理，基地局１の制御等を行う。
【００２９】
　回線交換網４は回線交換サービスを提供するコア・ネットワークであり，回線交換接続によって移動機１の通信回線を設定する。
【００３０】
　パケット交換網５はパケット交換サービスを提供するコア・ネットワークであり，移動機１の位置管理，パケットのルーティング機能と転送機能，無線リソース管理などの機能を有する。
【００３１】
　課金ゲートウェイ６は，移動通信網の提供業者によって，インターネット網とコア・ネットワークとの間に配置される装置で，課金を代行する機能を保持する。
【００３２】
　広告配信サーバ７は，インターネット網に配置され，テレビ電話通信の発信をする移動機１からの要求に応じて，広告情報を送信する。
【００３３】
　本実施の形態におけるテレビ電話通信機能を実現する移動機１の内部構成を図２に示す。
【００３４】
　３Ｇ−３２４Ｍ（１０８）は，３ＧＰＰにより規定されているテレビ電話プロトコルであり，その動画像ＣｏｄｅｃにはＨ．２６３またはＭＰＥＧ４（１０５），音声ＣｏｄｅｃにはＡＭＲ（Ａｄａｐｔｉｖｅ  Ｍｕｌｔｉ  Ｒａｔｅ）（１０６），通信制御方式としてＨ．２４５（１０７）が使用される。
【００３５】
　音声の入出力デバイス１１０には，マイクやスピーカが使用される。
【００３６】
　動画像の入出力デバイス（１１１，１１３）にはカメラ，ディスプレイが使用される。
【００３７】
　Ｈ．２４５は，相互端末間（移動機どうしの間）でテレビ電話通信機能を正常に実現するための制御（サポート可能な音声／動画像Ｃｏｄｅｃの種類，画面サイズなどの通知）などを行い，Ｈ．２４５上でシステム制御１０９が動作する。
【００３８】
　さらに，多重／分離処理としてＨ．２２３  ＡｎｎｅｘＢ（１０４）が使用される。
【００３９】
　無線プロトコル処理部１０２では，無線インタフェース１０１を介して受信されるデータがパケット交換データであれば，広告情報処理部１０３に渡し，回線交換データであれば，３Ｇ−３２４Ｍ処理部１０８へと渡す。
【００４０】
　広告情報処理部１０３では，図１に示した広告配信サーバ７との間でメッセージ送受信制御を行い，受信した広告情報のＤｅｃｏｄｅ処理などを担う。
【００４１】
　表示制御１１２では，テレビ電話の動画像を縮小処理し，広告処理部でのＤｅｃｏｄｅ出力と合成し，ビデオ出力デバイス１１３に表示する（図６（ｂ）の表示領域１２９参照）。
【００４２】
　図６は，テレビ電話通信で用いられる移動機の表示画面に表示される内容の例を示す図であり，（ａ）は従来のテレビ電話通信で用いられる移動機の表示画面の表示領域１２８を示す図であり，（ｂ）は図１に示した広告情報配信システムの移動機の表示画面の表示領域１２９を示す図である。
【００４３】
　図６（ａ）に示すように，従来の表示領域１２８では，受信画面領域に通話相手の画像が表示され，送信画像領域に自分の画像が表示される。これに対して，
本実施の形態の移動機１では，図６（ｂ）に示すように，表示領域１２９において，受信画面領域に通話相手の画像を縮小して表示し，縮小により空いたスペースに広告情報を表示するよう制御している。
【００４４】
　また，図示はしないが，移動機１は，広告情報を処理するのに十分なメモリ，処理能力を持つ。広告配信サーバ７も，移動機１からの要求メッセージを処理し，移動機１に広告情報を送信するための十分なメモリ，処理能力を持つ。
【００４５】
　次に，本実施の形態の動作について説明する。
【００４６】
　図３は，図１に示したテレビ電話通信を利用した広告情報配信システムの動作を示すフローチャートであり，移動機１のテレビ電話通信の発信時の動作を示す図である。
【００４７】
　図３に示すように，移動機１がテレビ電話通信の発信を開始する（ステップ１１４）と，パケット交換網５に接続する（ステップ１１５）。
【００４８】
　パケット交換網５への接続が完了すると，広告情報処理部１０３にてデータ要求メッセージを生成し，無線インタフェース１０１を介して広告配信サーバ７へメッセージを送信する（ステップ１１６）。このメッセージには，サービス登録者か否かを識別するためのユーザＩＤ，必要な広告情報を示す要求広告番号，移動機１が使用可能なメモリ最大サイズ（広告情報を一時的に格納可能な最大メモリサイズ）などが含まれる。
【００４９】
　移動機１が，広告配信サーバ７より応答メッセージを受信する（ステップ１１７）と，そのメッセージに含まれるデータ種別（テキスト情報，静止画情報，動画情報なのかを示す），再生回数，再生時間，広告表示サイズなどの情報をメモリに記録する（ステップ１１８）。
【００５０】
　また，移動機１は，広告配信サーバ７からの広告情報を受信すると，メモリに記録し（ステップ１１９），受信完了応答メッセージを広告配信サーバ７に送信する（ステップ１２０）。
【００５１】
　さらに，移動機１は，メモリに記録した広告情報を広告情報処理部１０３にて，データ種別に応じてＤｅｃｏｄｅ処理し，その出力データを表示制御部１１２へ送信する（ステップ１２１）。
【００５２】
　表示制御部１１２では，広告表示サイズに応じて通常のテレビ電話画像を縮小処理した画像と広告情報とを合成処理し，ビデオ出力デバイス１１３に表示する（ステップ１２２）。広告データの再生回数が複数回設定されている場合は，メモリに記憶されている広告データを設定回数ループして表示する。
【００５３】
　再生（広告配信サーバ７からの応答メッセージに基づく広告データの表示）が終了すると，要求広告番号をインクリメントして，広告配信サーバ７に追加のデータ要求メッセージを送信し，上記処理を繰り返す（ステップ１２３）。
【００５４】
　図４は，図１に示したテレビ電話通信を利用した広告情報配信システムの動作を示すフローチャートであり，移動機１のテレビ電話通信の終話時の動作を示す図である。
【００５５】
　図４のように，移動機１がテレビ電話通信終了を検知すると（ステップ１２４），広告情報処理部１０３および表示制御部１１２での処理を終了させ（ステップ１２５），パケット交換網５との接続を終了させる（ステップ１２６，１２７）。
【００５６】
　図５は，図１に示したテレビ電話通信を利用した広告情報配信システムの動作を示すフローチャートであり，広告配信サーバ７の動作を示す図である。
【００５７】
　図５に示すように，広告配信サーバ７では，移動機１からの広告情報要求メッセージを受信する（ステップ７０１）と，そのメッセージに含まれるユーザＩＤ，要求広告番号，メモリ最大サイズなどの情報を読み取りメモリに記録する（ステップ７０２）。
【００５８】
　ユーザ識別が成功すると，送るべき広告情報を決定し，データ種別，再生回数などの情報を含めた，応答メッセージを移動機１に送信する（ステップ７０３）。次に決定された広告情報を移動機１に送信する（ステップ７０４）。
【００５９】
　広告配信サーバ７で，移動機１からの受信完了メッセージを受信するか，予め決められている送信タイムアウト時間となれば（ステップ７０５），課金ゲートウェイ６に該当移動機１に対する負担通信料を通知する（ステップ７０６，７０７）。この負担通信料は，たとえば広告主が負担し，その分，移動機１のユーザに対するテレビ電話通信にかかる課金が軽減される。
【００６０】
　負担通信料は，広告データ量，再生回数などに応じて決定される。したがい，テレビ電話通信時間が長い場合，一度のテレビ電話通信時に複数回の広告配信要求が発生することがあり，その都度課金ゲートウェイ６への通知が行われ，通信時間に応じた通信料負担が実現できる。
【００６１】
　以上説明したように本発明によれば，ユーザはテレビ電話通信時の料金を抑えられ，さらに通信しながら他の情報を取得することができ，テレビ電話普及促進が期待される。
【００６２】
　また，移動通信網の提供業者は，テレビ電話の普及により通信料拡大できるといった効果が期待できるのは勿論であるが，一般的なテレビ電話通信時よりも，広告提供者が負担するパケット交換での広告情報配信料の分，通信料が拡大できるといった効果がある。
【００６３】
　さらに，広告提供者にとっても，事前に登録されたユーザ情報からユーザの需要に合った情報を，身近なツールである携帯電話を介して提供することが可能であり，広告効果が期待できる。」（４〜７ページ）
　刊行物Ｂ，Ｃの上記記載によれば，「テレビ電話等において，映像通話を行おうとする通話者のユーザ端末にターゲット広告を送信すること。」は周知であるといえる（以下，「周知技術Ａ」という。）。
　刊行物Ｄには，以下の事項が記載されている。
「【００４８】
　コミュニティサーバー１０のコミュニティ管理部１５は，使用者が所定の広告コミュニティページへの連結を要請すると，使用者の識別情報を広告サーバー２０に伝達する（Ｓ１４０）。
広告サーバー２０の広告選定部２２は，使用者の識別情報に基づいて使用者データベース１１を検索し，使用者の特性情報を把握する。例えば，使用者の性別，年齢，職業及び趣味のうち少なくとも一つを判断（把握）する
　刊行物Ｅには，以下の事項が記載されている。
「【００２４】
　使用者端末機３００は，ネットワーク２００を通じてターゲット広告システム１００に接続できる通信装置であり，例えば，有線電話，移動通信端末機，コンピュータ，インターネット接続可能なＴＶなどの多様な通信装置を含む。したがって，
使用者は，ＰＣ通信，インターネット，無線インターネット，電話網などを用いて，便利かつ迅速にターゲット広告システム１００に接続することができる。
（中略）
【００２６】
　
広告をディスプレイする時には，チャットルーム分析手段４０４でチャットルーム情報からチャットルームの主題や参加者の年齢，性別，職業などを把握して，チャットルームに参加したユーザ別に有用な広告がディスプレイされるようにするのが好ましい。
　刊行物Ｄ，Ｅの上記記載によれば，「広告を選択する際のユーザ情報として性別情報等を用いること。」は周知であると認められる（以下，「周知技術Ｂ」という。）。
　刊行物Ｆには，以下の事項が記載されている。
「【００２８】次に，上記テレビ電話装置１は，通話先のテレビ電話装置１との間で，閲覧中のウェブページの内容を共有する手段を有する。すなわち，テレビ電話装置１は，ウェブページのＵＲＬ情報を通話先に通知する手段と，通話先から前記ＵＲＬ情報を通知された場合にＷＷＷ制御部４がこのＵＲＬ情報を用いて当該ウェブページの閲覧要求を行うように制御する手段とを備えればよい。これら手段は，図１に示した制御部３で実行される。
【００２９】ウェブページを共有する処理手順は次の通りである。図６に示すように，一方（左側）のテレビ電話装置１のＷＷＷ制御部４はＵＲＬを指定してＷＷＷサーバ４０に送信要求ＲＱＴを発し，次いで，ＷＷＷサーバ４０はその送信要求ＲＱＴに応えてＨＴＭＬデータ（ウェブページ）を送信する。そして，ＨＴＭＬデータは，テレビ電話装置１で受信され閲覧表示される。
当該テレビ電話装置１の通話者がウェブページの内容を通話相手と共有することを望んだ場合には，例えば，通話者はリモート・コントローラ１３のボタン操作でその旨を制御部３に指示する。これにより，制御部３は，ネットワーク・インターフェース２を介して前記ＨＴＭＬデータのＵＲＬ情報を他方のテレビ電話装置１に送信する。
【００３０】一方，図６に示す他方（右側）のテレビ電話装置１でそのＵＲＬ情報が受信されると，制御部３は，ＷＷＷ制御部４に対して受信したＵＲＬ情報で指定されるＷＷＷサーバ４０からＨＴＭＬデータを要求するように制御する。この結果，他方のテレビ電話装置１は，ＷＷＷサーバ４０に送信要求ＲＱＴを発し，
通話相手が閲覧していたのと同一のＨＴＭＬデータを取得する。これにより，双方のテレビ電話装置１，１で同一内容のウェブページを同時に表示し共有することが可能となる。
　刊行物Ｇには，以下の事項が記載されている。
「【００９０】
　［第１の実施の形態における動作について］
まず，第１の実施の形態における，図５に示したシステムにおける動作について説明する。ここでは，ＰＣ４−１に主導権がある場合，換言すれば，ＰＣ４−１が親であり，ＰＣ４−２が子である場合を例に挙げて説明する。
【００９１】
　図７に示したフローチャートの処理を参照し，ＰＣ４−１とＰＣ４−２の間で行われるおおまかな処理について説明し，ＰＣ４−１における処理の詳細については，図８を参照して後述し，ＰＣ４−２における処理の詳細については，図９を参照して後述する。
【００９２】
　ステップＳ３１において，ＰＣ４−１は表示するウェブページのＵＲＬを取得する。取得されるＵＲＬは，例えば，ＰＣ４―１で，ブラウザが起動されたとき，最初に表示されるウェブページとして設定されているウェブページ（ホームページなどと称されるページ）のＵＲＬである。
【００９３】
　または，所定のウェブページが表示されている場合に，ユーザにより他のウェブページの表示が指示されたとき，その表示が指示されたウェブページのＵＲＬである。
【００９４】
　ステップＳ３２において，ステップＳ３１において取得されたＵＲＬが，ＰＣ４−１からＰＣ４−２に送信される。ＰＣ４−１からＰＣ４−２にＵＲＬなどの何らかの情報が送信されるとき，ＰＣ４−１からＰＣ４−２に対して情報が直接的に送信されるようにしても良いし，ユーザ特定サーバ３を介して間接的に送信されるようにしても良い。
【００９５】
　直接的に情報の送受信がされる場合，ＰＣ４−１とＰＣ４−２の間で，ウェブページの共有が始まるときに，ユーザ特定サーバ３から，ＰＣ４−２を特定するための情報，例えば，ＩＰアドレスなどが，ＰＣ４−１に対して供給される。そして，ＰＣ４−１は，ユーザ特定サーバ３から供給された情報を基に，ＰＣ４−２に対して直接的にＵＲＬなどの情報を送信する。
【００９６】
　ユーザ特定サーバ３を介して送受信がされる場合，ＰＣ４−１とＰＣ４−２の間で，ウェブページの共有が始まるときに，ユーザ特定サーバ３からＰＣ４−１に対して，ＰＣ４−２を特定するための情報として，例えば，ＰＣ４−２に対して割り当てられたＩＤが供給される。そして，ＰＣ４−１がＰＣ４−２に対して情報を送信するとき，ユーザ特定サーバ３に対して，その送信する情報とともに，ＰＣ４−２のＩＤも送信する。ユーザ特定サーバ３は，受信したＩＤから，ＰＣ４−２を特定し，自己が管理する情報を基に，ＰＣ４−２にＰＣ４−１からの情報を転送する。
【００９７】
　このような方法とは別の方法で，ＰＣ４−１とＰＣ４−２との間で情報が送受信されても良い。以下の説明においては，単に，ＰＣ４−１からＰＣ４−２に対して情報が送信されるとの記載をするが，直接的に送信されても，間接的に送信されてもどちらでも良い。
【００９８】
　
ＰＣ４−１は，ＰＣ４−２にＵＲＬを送信する一方で，ステップＳ３３において，ウェブサーバ２（図５）にアクセスし，ウェブページのページデータを取得する。ＰＣ４−１は，ページデータを取得すると，その取得したページデータに基づくウェブページを，ディスプレイ上に表示する。
【００９９】
　
このような処理がＰＣ４−１側で行われる一方で，ＰＣ４−２は，ステップＳ５１において，ＰＣ４−１から送信されてきたＵＲＬを受信し，ステップＳ５２において，その受信されたＵＲＬに基づき，ウェブサーバ２にアクセスし，ウェブページのページデータを取得する。ＰＣ４−２は，ページデータを取得すると，その取得したページデータに基づくウェブページを，ディスプレイ上に表示する。
【０１００】
　ウェブサーバ２は，ステップＳ７１において，ＰＣ４−１からのアクセスを受け，ＵＲＬで特定されるページデータをＰＣ４−１に供給し，ステップＳ７２において，ＰＣ４−２からのアクセスを受け，ＵＲＬで特定されるページデータをＰＣ４−２に供給する。
【０１０１】
　このように，ＰＣ４−１とＰＣ４−２は，ＵＲＬを授受することにより，ウェブサーバ２に接続し，同一のウェブページのページデータを取得するので，ＰＣ４−１のディスプレイ上とＰＣ４−２のディスプレイ上には，同一の画面が表示される。
【０１０２】
　しかしながら，ＰＣ４−１とＰＣ４−２は，それぞれウェブサーバ２に接続し，ページデータを取得しているため，同一の画面であっても，その画面に含まれる一部分の画像，例えば，広告などを表示している画像は異なる可能性がある。例えば，ウェブページに含まれる広告の画像（内容）は，アクセスしてきたＰＣ４により，またはアクセスしてきたタイミングなどにより，異なる広告であるように設定されている場合がある。このような場合，ＰＣ４−１とＰＣ４−２において，同一のウェブページが表示されていても，そのウェブページに含まれている広告は異なる可能性がある。
【０１０３】
　このようなことは，広告に限定されるものではなく，一例として広告を挙げただけである。広告以外の画像であっても，同一のウェブページで，異なる画像が含まれる可能性がある。以下の説明においては，同一のウェブページであっても異なる画像が含まれる場合の異なる画像とは，広告に関する画像である場合を例に挙げて説明を続ける。
【０１０４】
　このようなウェブページ内の広告も，同一にするには，ＵＲＬだけが送受信されるのではなく，クッキー（cookie）も送受信されるようにする。クッキーとは，一般的に，ウェブサーバ２とブラウザとの間でやりとりされる識別情報であり，ユーザの識別や認証，あるいはセッション管理などに利用される。
【０１０５】
　ブラウザのInternet Explorer 5 （商標）では，固定クッキーおよびセッション毎のクッキーに対して別々のセキュリティ管理が提供されている。クッキーは， ユーザがサイト上の別のページに移動するときや，ユーザがサイトに戻ってくるときに，ウェブサーバ２でユーザについての状態情報を保持するために用いられる。
【０１０６】
　固定クッキー がサーバからブラウザに渡される場合，そのクッキーはサーバにより設定された時間保存される。これらのクッキーは，今回と次回のウェブページが参照される間，状態情報を保存しておくために使用される。セッション毎のクッキーは，１セッション内だけの状態情報保存に使用される。これらのクッキーは，ユーザがセッション毎のクッキーを発行するサーバを参照している間だけ，キャッシュされ，ユーザがセッションを閉じると，キャッシュから削除される。
【０１０７】
　クッキーの定義としては，上記したようなものである。クッキーには，セッションＩＤなどと称されるＩＤが含まれることがあり，そのセッションＩＤが，ユーザの識別（この場合，ＰＣ４の識別）に用いられる。セッションＩＤまたはセッションＩＤを含むクッキーにより，ウェブページに含まれる広告を特定することが可能である。
【０１０８】
　このことを利用し，クッキーまたはクッキーに含まれるセッションＩＤを送受信することで，
広告などの画像も含めて，同一のウェブページが共有されるようにする。
【０１０９】
　図７のフローチャートの説明に戻り，ＰＣ４−１は，ステップＳ３３において，ウェブサーバ２からページデータを取得すると，ステップＳ３４において，クッキーを取得する。クッキーは，ウェブサーバ２が，ＰＣ４−１にページデータを送信するときに，ページデータとともに送信される。よって，ＰＣ４−１は，ページデータを取得したときに，クッキーも取得している。
【０１１０】
　また同様に，ＰＣ４−２も，ステップＳ５２において，ウェブサーバ２からページデータを取得するので，ステップＳ５２の処理が実行される時点で，クッキーも取得している。しかしながら，取得されたクッキー（クッキーに含まれるセッションＩＤ）は，ＰＣ４−１とＰＣ４−２とは異なる。クッキーが異なるために，上記したように，ウェブページに含まれる広告の画像が異なる場合がある。
【０１１１】
　そこで，ＰＣ４−１は，ステップＳ３５において，取得されたクッキーを，ＰＣ４−２に対して送信する。ＰＣ４−２は，ステップＳ５３において，ＰＣ４−１から送信されたクッキーを受信する。そして，ＰＣ４−２は，受信されたクッキーを用いて，再度，ウェブサーバ２にアクセスし，ページデータを取得する。取得されるページデータは，ＰＣ４−１に供給されたクッキーと同じクッキーが用いられて取得されるため，ＰＣ４−１が取得したページデータと同じページデータが取得されることになる。すなわち，広告などの画像も含めて同一の画面を提供できるページデータが，ＰＣ４−１とＰＣ４−２でそれぞれ取得される。
【０１１２】
　ステップＳ５４において，ＰＣ４−２は，取得されたページデータに基づく画面をディスプレイ上に表示する。既に，ステップＳ５２において，ＵＲＬに基づき取得されたウェブページに基づく画面がディスプレイ上に表示されているため，このステップＳ５４は，その表示されている画面を更新する処理といえる。
【０１１３】
　このようにして，ＰＣ４−１とＰＣ４−２との間でＵＲＬとクッキーが送受信されることで，広告などの画像を含めて，全く同じウェブページを共有することが可能となる。」（１３〜１５ページ）
　刊行物Ｆ，Ｇの上記記載によれば，「複数のユーザが互いにコミュニケーションを行う複数の端末においてウェブページを共有するため，ユーザのうちのいずれか一人によって特定のウェブページが選択された場合，前記選択されたウェブページを，当該ユーザ及び相手のユーザに送信すること。」は，周知であると認められる（以下，「周知技術Ｃ」という。）。
　刊行物Ｈには，以下の事項が記載されている。
「【０００４】
　ウェブサイト・ベースの広告は，
「見出し広告」すなわち画像を囲った四角形のボックス形式で，それらの広告閲覧者にしばしば提示される。
広告閲覧者の人達がそれをクリックして，これらの見出し広告のうちの1つを選択すると，埋め込まれたハイパーテキスト・リンクが，通常はその閲覧者を広告主のウェブサイトに向かわせることが出来る仕組みになっている。
　刊行物Ｅの（【００２４】），刊行物Ｈの記載によれば，「広告が選択された場合，前記選択された広告に関するウェブページが送信されるようにすること。」は，周知であると認められる（以下，「周知技術Ｄ」という。）。
（２）対比
　本願発明と引用発明Ａとを対比すると，
「通話者のソーシャル情報を用いてターゲット広告を選択するターゲット広告選択部と，
　前記ターゲット広告をユーザ端末に送信するターゲット広告送信部と，を含み，
　前記ターゲット広告選択部は，
　前記通話者のユーザ情報を用いてターゲット広告を選択し，
　前記選択されたターゲット広告が前記通話者のユーザ端末に表示されるように，前記選択されたターゲット広告を送信する，広告情報提供システム。」の点で一致している。
　他方，本願発明と引用発明Ａは，以下の点で相違する。
（相違点１）本願発明の「通話者」は，「映像通話を行おうとする通話者」であるのに対し，引用発明Ａは映像通話について言及していない点。
（相違点２）本願発明は「前記通話者の地域情報，性別情報，年齢情報，職業情報，学歴情報，関心分野情報のうち少なくとも１つを含むユーザ情報を用いて前記通話者間の関係情報を生成し，広告主が申請した１つ以上の広告が格納された広告データベースから前記関係情報から導かれる前記通話者間に共通するテーマに対応するターゲット広告を選択」するのに対し，引用発明Ａは「ユーザが送受信する情報を用いて，ユーザと社会的接触先との間の関係の強さ及び種類に関するデータを含む社会的データ等を含むユーザのステータスアップデート状況を生成し，当該ユーザのステータスアップデート状況をターゲット広告にマッチさせてターゲット広告を選択」するものである点。
　これに伴い，本願発明の「選択されたターゲット広告」は，「通話者間に共通するテーマに対応するターゲット広告」であるのに対し，引用発明はＡは当該事項が明らかでない点。
（相違点３）本願発明の「選択されたターゲット広告」は，「通話者間に同期化して送信」されるのに対し，引用発明Ａは当該事項が明らかでない点。
（相違点４）本願発明は，「前記通話者のうちのいずれか一人によって前記ターゲット広告が選択された場合，前記選択されたターゲット広告に関するウェブサイトのＵＲＬを前記ターゲット広告を選択した通話者及び通話相手に送信する」との構成を有するのに対し，引用発明Ａは当該構成を有していない点。
（３）判断
　まず，相違点１〜３についてまとめて検討する。
　引用発明Ａの「ステータスアップデート状況」は，ユーザと現在のソーシャルネットワークとのやりとりを介してユーザが受ける影響の全体集合及びこのような影響の相対的強度として広義に定義されるものであるところ，ソーシャルネットワークは不特定多数とのやり取りを含むものであるから，「通話者間の関係情報」というよりもむしろ当該ユーザ特有の情報と解される。このため，ターゲット広告は当該ユーザのみに対応するものと解される。
　そして，「テレビ電話等において，映像通話を行おうとする通話者のユーザ端末にターゲット広告を送信すること。」なる周知技術Ａ，「広告を選択する際のユーザ情報として性別情報等を用いること。」なる周知技術Ｂに鑑みても，引用発明Ａの「ステータスアップデート状況」を，「映像通話を行おうとする通話者」の「地域情報，性別情報，年齢情報，職業情報，学歴情報，関心分野情報のうち少なくとも１つを含むユーザ情報を用いて前記通話者間の関係情報」とする動機付けは見当たらず，また，選択されるターゲット広告を「前記関係情報から導かれる前記通話者間に共通するテーマに対応する」ものとし，「選択されたターゲット広告」を「通話者間に同期化して送信」する必然性も見当たらない。
　したがって，相違点１〜３を容易になし得たとすることはできない。
（４）小括
　したがって，他の相違点について判断するまでもなく，本願発明は，当業者が引用発明Ａ及び周知技術に基づいて容易に発明をすることができたとはいえない。
　また，本願の請求項６に係る発明は，本願発明を異なるカテゴリーにて表現するものであるから，同様に，当業者が引用発明Ａ及び周知技術に基づいて容易に発明をすることができたとはいえない。
　また，請求項２〜５に係る発明は，請求項１に係る発明をさらに限定したものであるので，同様に，当業者が引用発明Ａ及び周知技術に基づいて容易に発明をすることができたとはいえない。
　よって，当審拒絶理由１によっては，本願を拒絶することはできない。
３　当審拒絶理由２の概要
理由１（サポート要件）この出願は，特許請求の範囲の記載が下記の点で，特許法第３６条第６項第１号に規定する要件を満たしていない。
理由２（明確性）この出願は，特許請求の範囲の記載が下記の点で，特許法第３６条第６項第２号に規定する要件を満たしていない。
理由３（委任省令要件）この出願は，発明の詳細な説明の記載が下記の点で，特許法第３６条第４項第１号に規定する要件を満たしていない。
 　　　　　　　　　　　　　　　　　記 
●理由１（サポート要件）について 
・請求項　１〜６ 
　請求項１には，「前記ウェブサイトを前記通話者及び通話相手にフォワーディングする」と記載されているが，発明の詳細な説明には，当該事項について何ら記載されていない。
　請求項６の記載も同様であるから，従属項を含め，請求項１〜６に係る発明は発明の詳細な説明に記載したものでない。 
 ●理由２（明確性）について
・請求項　１〜６
（１）請求項１には，「前記ウェブサイトを前記通話者及び通話相手にフォワーディングする」と記載されているが，該記載では，日本語としても，技術的にも不明である。 
　また，平成２７年１０月２３日に提出された意見書によれば，「フォワーディング」は，「直接的にウェブページを通話者及び通話相手に送信する」処理とも異なるとされているが，該処理と異なる，具体的にいかなる処理を行うのか，明らかでない。
　請求項６の記載も同様であるから，従属項を含め，請求項１〜６に係る発明は明確でない。
・請求項　３
（２）請求項３には，「前記ターゲット広告選択部は，前記通話者の映像通話背景情報，及び前記通話者の音声情報を用いて抽出したキーワードのうち少なくとも１つに基づいて前記ターゲット広告を選択する」と記載されているが，広告の選択については，同項が引用する請求項１でも「前記通話者の地域情報，性別情報，年齢情報，職業情報，学歴情報，関心分野情報のうち少なくとも１つを含むユーザ情報を用いて前記通話者間の関係情報を生成し，広告主が申請した１つ以上の広告が格納された広告データベースから前記関係情報から導かれる前記通話者間に共通するテーマに対応するターゲット広告を選択」することが記載されている。
　そのため，「ターゲット広告」の上記「選択」に関し，請求項３の上記「選択」は，請求項１の上記「選択」に代えて行うものであるのか，同「選択」に加えて行うものであるのか，不明確である。
　したがって，請求項３に係る発明は明確でない。
●理由３（委任省令要件）について
・請求項　３
　請求項３には，「前記通話者の映像通話背景情報，及び前記通話者の音声情報を用いて抽出したキーワードのうち少なくとも１つに基づいて前記ターゲット広告を選択する」と記載されている。
　ここで，「映像通話背景情報」は，一方の通話者の背景であって，通話（会話）内容のように両通話者間で共有される事項ではない。
　そのため，「映像通話背景情報」を用いてターゲット広告を選択すると，一方の通話者に関係があっても，他方の通話者には関係のない広告が同期化して送信されることとなる。
　そして，発明の詳細な説明には，そのように他方の通話者には関係のない広告であるにも関わらず，両通話者に同期化して送信する技術的意義を理解するために必要な事項が記載されていない。
　よって，この出願の発明の詳細な説明は，請求項３に係る発明について，経済産業省令で定めるところにより記載されたものでない。
４　当審拒絶理由２の判断
（１）平成２８年４月２８日付け手続補正書によって，本願の請求項１，６から補正前の「または前記ウェブサイトを前記通話者及び通話相手にフォワーディングすること」が削除された。このことにより，請求項１，６に係る発明及び請求項１を引用する請求項２−５に係る発明は，発明の詳細な説明に記載された範囲内のものとなり，また，明確となった。
　よって，当審拒絶理由１及び２（１）は解消した。
（２）平成２８年４月２８日付け手続補正書によって，本願の請求項３から補正前の「前記通話者の映像通話背景情報，及び」が削除され，「前記通話者の音声情報を用いて・・・前記ターゲット広告を選択すること」の前に「さらに，」が追加された。このことにより，請求項３に係る発明は明確となり，また，発明の詳細な説明は補正後の請求項３に係る発明の技術的意義を理解するために必要な事項が記載されているものとなった。
　よって，当審拒絶理由２（２）及び３は解消した。
第５　むすび
　以上のとおり，原査定の理由によっては，本願を拒絶することはできない。
　また，他に本願を拒絶すべき理由を発見しない。
　よって，結論のとおり審決する。